(57)【要約】【課題】基地局装置と接続するマシンタイプコミュニケーションに対応する端末装置に効率の良い繰り返しによる送受信制御を行わせること。【解決手段】  基地局装置が端末装置と通信を行う無線通信システムであって、基地局装置は、バンドリングサイズおよび／またはレピティションレベルおよびタイマーの値を端末装置に通知し、端末装置は、バンドリングサイズおよび／またはレピティションレベルにもとづいて送受信の制御を行い、前記タイマーにもとづいて前記バンドリングサイズおよび／またはレピティションレベルの制御を行う。【選択図】図１
2018032888.tif 000002
【特許請求の範囲】
【請求項１】
基地局装置が端末装置と通信を行う無線通信システムであって、
前記基地局装置は、バンドリングサイズおよび／またはレピティションレベルおよびタイマーの値を前記端末装置に通知し、
前記端末装置は、
前記バンドリングサイズおよび／またはレピティションレベルにもとづいて送受信制御を行い、
前記タイマーにもとづいて前記バンドリングサイズおよび／またはレピティションレベルの制御を行うことを特徴とする無線通信システム。
【請求項２】
請求項１の無線通信システムであって、
前記タイマーが満了した場合、
前記端末装置は前記バンドリングサイズおよび／またはレピティションレベルを所定のレベルおよび／または所定のサイズに設定することを特徴とする無線通信システム。
【請求項３】
請求項２の無線通信システムであって、
前記タイマーは、タイマーのスタートを示したＭＡＣ層のメッセージを受信した場合にスタートすることを特徴とする無線通信システム。
【請求項４】
請求項２の無線通信システムであって、
前記タイマーは、コンテンションレゾリューションを受信した場合にスタートすることを特徴とする無線通信システム。
【請求項５】
基地局装置と通信を行う端末装置であって、
前記基地局装置からバンドリングサイズおよび／またはレピティションレベルおよびタイマーの値を受信し、
前記バンドリングサイズおよび／またはレピティションレベルにもとづいて送受信の制御を行い、
前記タイマーにもとづいて前記バンドリングサイズおよび／またはレピティションレベルの制御を行うことを特徴とする端末装置。
【請求項６】
請求項５の端末装置システムであって、
前記タイマーが満了した場合、
前記バンドリングサイズおよび／またはレピティションレベルを所定レベルおよび／またはサイズに設定することを特徴とする端末装置。
【請求項７】
端末装置と通信を行う基地局装置であって
バンドリングサイズおよび／またはレピティションレベルおよびタイマーの値を前記端末装置に通知することを特徴とする基地局装置。
【請求項８】
基地局装置が端末装置と通信を行う無線通信システムの無線通信方法であって、
前記基地局装置は、
バンドリングサイズおよび／またはレピティションレベルおよびタイマーの値を前記端末装置に通知するステップと、
前記端末装置は、
前記バンドリングサイズおよび／またはレピティションレベルにもとづいて送受信の制御を行うステップと、
前記タイマーにもとづいて前記バンドリングサイズおよび／またはレピティションレベルの制御を行うステップとを少なくとも含むことを特徴とする無線通信方法。
【請求項９】
基地局装置と通信を行う端末装置に適用される集積回路であって、
前記基地局装置からバンドリングサイズおよび／またはレピティションレベルおよびタイマーの値を受信する手段と、
前記バンドリングサイズおよび／またはレピティションレベルにもとづいて送受信を行う手段と、
前記タイマーにもとづいて前記バンドリングサイズおよび／またはレピティションレベルの制御を行う手段を有することを特徴とする集積回路。
【請求項１０】
端末装置と通信を行う基地局装置に適用される集積回路であって、
バンドリングサイズおよび／またはレピティションレベルおよびタイマーの値を前記端末装置に通知する手段を有することを特徴とする集積回路。
【発明の詳細な説明】
【技術分野】
【０００１】
本発明は、無線通信システム、端末装置および基地局装置に関連し、より詳細には、マシンタイプコミュニケーションまたはマシン間通信に関する無線通信システム、基地局装置、端末装置、無線通信方法および集積回路に関する。
【背景技術】
【０００２】
３ＧＰＰ（3rd Generation Partnership Project）では、Ｗ−ＣＤＭＡ方式が第三世代セルラー移動通信方式として標準化され、サービスが行われている。また、通信速度を更に上げたＨＳＤＰＡも標準化され、サービスが行われている。
【０００３】
一方、３ＧＰＰでは、第三世代無線アクセスの進化（Long Term Evolution：ＬＴＥまたはEvolved Universal Terrestrial Radio Access：ＥＵＴＲＡ）の標準化も行なわれ、ＬＴＥサービスが開始されている。ＬＴＥの下りリンクの通信方式として、マルチパス干渉に強く、高速伝送に適したＯＦＤＭ（Orthogonal Frequency Division Multiplexing）方式が採用されている。また、上りリンクの通信方式として、移動局装置のコストと消費電力を考慮し、送信信号のピーク電力対平均電力比ＰＡＰＲ（Peak to Average Power Ratio）を低減できるシングルキャリア周波数分割多重方式ＳＣ−ＦＤＭＡ（Single Carrier-Frequency Division Multiple Access）のＤＦＴ（Discrete Fourier Transform（離散フーリエ変換））−ｓｐｒｅａｄ  ＯＦＤＭ方式が採用されている。
【０００４】
また、３ＧＰＰでは、ＬＴＥの更なる進化のＬＴＥ−Ａｄｖａｎｃｅｄ（または、Ａｄｖａｎｃｅｄ−ＥＵＴＲＡ）の議論も継続して行っている。ＬＴＥ−Ａｄｖａｎｃｅｄでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことが想定されている。
【０００５】
ＬＴＥ−Ａｄｖａｎｃｅｄでは、ＬＴＥの移動局装置も収容できるようにＬＴＥと互換性のある帯域を複数個束ねることで、最大１００ＭＨｚ帯域を実現することが考えられている。尚、ＬＴＥ−Ａｄｖａｎｃｅｄでは、ＬＴＥの１つの２０ＭＨｚ以下の帯域をコンポーネントキャリア（Component Carrier : ＣＣ）と呼ばれている。コンポーネントキャリアは、セル（Cell）とも呼ばれている。また、２０ＭＨｚ以下の帯域を束ねることをキャリアアグリゲーション(Carrier Aggregation：ＣＡ)と呼ばれている（非特許文献１）。
【０００６】
一方、ＬＴＥ−Ａｄｖａｎｃｅｄでは、マシンタイプコミュニケーション（Machine Type Communication: ＭＴＣ）またはマシン間通信（Machine To Machine Communication: Ｍ２Ｍ）のような特定のカテゴリーに対応する移動局装置の低コスト化に関する検討が行われている（非特許文献２）。以下、ＭＴＣ／Ｍ２Ｍの移動局装置、またはＭＴＣ／Ｍ２Ｍの通信デバイスを、ＭＴＣＵＥ（Machine Type Communication User Equipment）とも称する。
【０００７】
ＬＴＥ規格及びＬＴＥ−Ａｄｖａｎｃｅｄ規格に対応した低コストのＭＴＣＵＥを実現するために、送受信帯域幅の狭帯域化、アンテナポート数／ＲＦチェーン数の削減、送受信データ転送レートの低減、半二重周波数分割多重（Half-duplex Frequency Division Duplex）方式の採用、送受信電力の低減、間欠受信間隔の延長などのコスト低減方法が提案されている。また、低コストのＭＴＣＵＥを実現する方法として、ＭＴＣＵＥの送受信ＲＦ回路、送受信ベースバンド回路の最大帯域幅の低減（Reduction of maximum bandwidth）が有効であることも提案されている。
【０００８】
また、ＭＴＣでは、低コスト化の検討だけでなく、ＭＴＣＵＥの送受信範囲を拡張させるためのカバレッジ拡張(Coverage Enhancement)の検討も行われている。カバレッジを拡張させるために、基地局装置は、ＭＴＣＵＥに下りリンクデータまたは下りリンク信号を繰り返して送信し、また、ＭＴＣＵＥは、基地局装置に上りリンクデータまたは上りリンク信号を繰り返して送信するようなことが考えられている（非特許文献３）。
【０００９】
例えば、基地局装置は、物理報知チャネルＰＢＣＨを４０ｍｓ以内に複数回繰り返してＭＴＣＵＥに送信する。また、ランダムアクセス手順では、ＭＴＣＵＥが、同じランダムアクセスプリアンブルを複数の物理ランダムアクセスチャネルＰＲＡＣＨを使用して、繰り返して送信する。そして、ランダムアクセスプリアンブルを受信した基地局装置は、ランダムアクセスレスポンスメッセージを繰り返し送信する。尚、基地局装置は、繰り返し回数をセル内のＭＴＣＵＥに報知チャネルＢＣＨで通知したり、また、ＭＴＣＵＥ個別に通知したりする（非特許文献３）。
【００１０】
例えば、ランダムアクセスプリアンブルの繰り返し送信回数またはランダムアクセスレスポンスメッセージの繰り返し送信回数は、報知チャネルＢＣＨで通知される。また、ランダムアクセスプリアンブルの繰り返し送信回数には、複数種類の繰り返し送信回数があり、ＭＴＣＵＥが複数種類の繰り返し送信回数から１つの繰り返し送信回数を選択できるようなことも検討されている。
【先行技術文献】
【非特許文献】
【００１１】
【非特許文献１】3GPP TS(Technical Specification)36.300、V11.5.0(2013-03)、Evolved Universal Terrestrial Radio Access(E-UTRA) and Evolved Universal Terrestrial Radio Access Network(E-UTRAN)、Overall description Stage2
【非特許文献２】3GPP TR(Technical Report)36.888、V12.0.0(2013-06)、Study on provision of low-cost Machine-Type Communications (MTC) User Equipments (UEs) based on LTE (release 12)
【非特許文献３】” Rel-12 agreements for MTC”, R1-143784, 3GPP TSG-RAN WG1 Meeting #78bis Ljubljana, Slovenia, 6th - 10th October 2014
【発明の概要】
【発明が解決しようとする課題】
【００１２】
しかしながら、データの繰り返し送信（または、受信）では、繰り返し回数が多すぎると、１回の送受信に多くの時間が費やされる。また、繰り返し回数が少なすぎると、送受信品質の劣化に繋がる。繰り返しによる送受信を効率的に行うためには、ＭＴＣＵＥ、または、基地局装置による最適な繰り返し回数の設定とＭＴＣＵＥおよび基地局装置の繰り返し回数の管理が必要になる。
【００１３】
本発明は、このような事情に鑑みてなされたものであり、移動局装置および基地局装置が繰り返しによる送受信を効率的に行うための無線通信システム、基地局装置、移動局装置、無線通信方法及び集積回路を提供することを目的とする。
【課題を解決するための手段】
【００１４】
（１）上記の目的を達成するために、本発明は、以下のような手段を講じた。すなわち、本発明の無線通信システムは、基地局装置が端末装置と通信を行う無線通信システムであって、前記基地局装置は、バンドリングサイズおよび／またはレピティションレベルおよびタイマーの値を前記端末装置に通知し、前記端末装置は、前記バンドリングサイズおよび／またはレピティションレベルにもとづいて送受信の制御を行い、前記タイマーにもとづいて前記バンドリングサイズおよび／またはレピティションレベルの制御を行うことを特徴としている。
【００１５】
（２）また、本発明の無線通信システムにおいて、前記タイマーが満了した場合、前記端末装置は前記バンドリングサイズおよび／またはレピティションレベルを所定レベルおよび／またはサイズに設定することを特徴としている。
【００１６】
（３）また、本発明の無線通信システムにおいて、前記タイマーは、タイマーのスタートを示したＭＡＣ層のメッセージを受信した場合にスタートすることを特徴としている。
【００１７】
（４）また、本発明の無線通信システムにおいて、前記タイマーは、コンテンションレゾリューションを受信した場合にスタートすることを特徴としている。
【００１８】
（５）本発明の端末装置は、基地局装置と通信を行う端末装置であって、前記基地局装置からバンドリングサイズおよび／またはレピティションレベルおよびタイマーの値を受信し、前記バンドリングサイズおよび／またはレピティションレベルにもとづいて送受信の制御を行い、前記タイマーにもとづいて前記バンドリングサイズおよび／またはレピティションレベルの制御を行うことを特徴としている。
【００１９】
（６）また、本発明の端末装置は、前記タイマーが満了した場合、前記端末装置は前記バンドリングサイズおよび／またはレピティションレベルを所定レベルおよび／またはサイズに設定することを特徴としている。
【００２０】
（７）本発明の基地局装置は、端末装置と通信を行う基地局装置であってバンドリングサイズおよび／またはレピティションレベルおよびタイマーの値を前記端末装置に通知することを特徴としている。
【００２１】
（８）本発明の無線通信方法は、基地局装置が端末装置と通信を行う無線通信システムの無線通信方法であって、前記基地局装置は、バンドリングサイズおよび／またはレピティションレベルおよびタイマーの値を前記端末装置に通知するステップと、前記端末装置は、前記バンドリングサイズおよび／またはレピティションレベルにもとづいて送受信の制御を行うステップと、前記タイマーにもとづいて前記バンドリングサイズおよび／またはレピティションレベルの制御を行うステップとを少なくとも含むことを特徴としている。
【００２２】
（９）本発明の集積回路は、基地局装置と通信を行う端末装置に適用される集積回路であって、前記基地局装置からバンドリングサイズおよび／またはレピティションレベルおよびタイマーの値を受信する手段と、前記バンドリングサイズおよび／またはレピティションレベルにもとづいて送受信を行う手段と、前記タイマーにもとづいて前記バンドリングサイズおよび／またはレピティションレベルの制御を行う手段を有することを特徴としている。
【００２３】
（１０）本発明の集積回路は、端末装置と通信を行う基地局装置に適用される集積回路であって、バンドリングサイズおよび／またはレピティションレベルおよびタイマーの値を前記端末装置に通知する手段を有することを特徴としている。
【発明の効果】
【００２４】
本発明によれば、移動局装置において効率の良い繰り返し送受信制御を行うことが可能となる。また、基地局装置は移動局装置に対して効率のよいデータスケジューリングを行うことができる。
【図面の簡単な説明】
【００２５】
【図１】本発明の実施形態に係るＭＴＣＵＥの構成の一例を示す図である。
【図２】本発明の実施形態に係る基地局装置の構成の一例を示す図である。
【図３】ＬＴＥにおける物理チャネル構成例を示す図である。
【図４】ＬＴＥにおける下りリンクのチャネル構成例を示す図である。
【図５】ＬＴＥにおける上りリンクのチャネル構成例を示す図である。
【図６】基地局装置及び移動局装置の制御情報に関する通信プロトコルの構成例を示す図である。
【図７】基地局装置及び移動局装置のユーザー情報に関する通信プロトコルの構成例を示す図である。
【図８】Contention based Random Access手順を示す図である。
【図９】Non-contention based Random Access手順を示す図である。
【図１０】送信タイミングの更新手順の一例を示す図である。
【発明を実施するための形態】
【００２６】
ＬＴＥの下りリンクとして、ＯＦＤＭ方式が採用されている。また、ＬＴＥの上りリンクとして、ＤＦＴ−ｓｐｒｅａｄ  ＯＦＤＭ方式のシングルキャリア通信方式が採用されている。
【００２７】
図３は、ＬＴＥの物理チャネル構成を示す図である。下りリンクの物理チャネルは、物理下りリンク共用チャネルＰＤＳＣＨ（Physical Downlink Shared Channel）、物理下りリンク制御チャネルＰＤＣＣＨ（Physical Downlink Control Channel）、物理報知チャネルＰＢＣＨ（Physical Broadcast Channel）により構成されている。この他に下りリンク同期信号、下りリンク参照信号の物理信号がある（非特許文献１）。
【００２８】
上りリンクの物理チャネルは、物理ランダムアクセスチャネルＰＲＡＣＨ（Physical Random Access Channel）、物理上りリンク共用チャネルＰＵＳＣＨ（Physical Uplink Shared Channel）、物理上りリンク制御チャネルＰＵＣＣＨ（Physical Uplink Control Channel）により構成されている。この他に上りリンク参照信号の物理信号がある。上りリンク参照信号には、復調用参照信号（Demodulation Reference Signal：ＤＲＳ）と測定用参照信号（Sounding Reference Signal：ＳＲＳ）がある。測定用参照信号には、更に周期的測定用参照信号（Periodic SRS）と非周期的測定用参照信号（Aperiodic SRS）とがある。以後、特に明記しない場合、測定用参照信号とは周期的測定用参照信号のことを示す（非特許文献１）。
【００２９】
図４は、ＬＴＥの下りリンクのチャネル構成を示す図である。図４に示す下りリンクのチャネルは、それぞれ論理チャネル、トランスポートチャネル、物理チャネルから構成されている。論理チャネルは、媒体アクセス制御（ＭＡＣ：Medium Access Control）層で送受信されるデータ送信サービスの種類を定義する。トランスポートチャネルは、無線インターフェースで送信されるデータがどのような特性をもち、そのデータがどのように送信されるのかを定義する。物理チャネルは、トランスポートチャネルによって物理層に伝達されたデータを運ぶ物理的なチャネルである。
【００３０】
下りリンクの論理チャネルには、報知制御チャネルＢＣＣＨ（Broadcast Control Channel）、ページング制御チャネルＰＣＣＨ（Paging Control Channel）、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００３１】
下りリンクのトランスポートチャネルには、報知チャネルＢＣＨ（Broadcast Channel）、ページングチャネルＰＣＨ（Paging Channel）、下りリンク共用チャネルＤＬ−ＳＣＨ（Downlink Shared Channel）が含まれる。
【００３２】
下りリンクの物理チャネルには、物理報知チャネルＰＢＣＨ（Physical Broadcast Channel）、物理下りリンク制御チャネルＰＤＣＣＨ（Physical Downlink Control Channel）、物理下りリンク共用チャネルＰＤＳＣＨ（Physical Downlink Shared Channel）が含まれる。これらのチャネルは、基地局装置と移動局装置の間で送受信される。
【００３３】
次に、論理チャネルについて説明する。報知制御チャネルＢＣＣＨは、システム情報（System Information）を報知するために使用される下りリンクチャネルである。ページング制御チャネルＰＣＣＨは、ページング情報を送信するために使用される下りリンクチャネルであり、ネットワークが移動局装置のセル位置を知らないときに使用される。共通制御チャネルＣＣＣＨは、移動局装置とネットワーク間の制御情報を送信するために使用されるチャネルであり、ネットワークと無線リソース制御（ＲＲＣ：Radio Resource Control）接続を有していない移動局装置によって使用される。
【００３４】
専用制御チャネルＤＣＣＨは、１対１（point-to-point）の双方向チャネルであり、移動局装置とネットワーク間で個別の制御情報を送信するために利用するチャネルである。専用制御チャネルＤＣＣＨは、ＲＲＣ接続を有している移動局装置によって使用される。専用トラフィックチャネルＤＴＣＨは、１対１の双方向チャネルであり、１つの移動局装置専用のチャネルであって、ユーザー情報（ユニキャストデータ）の転送のために利用される。
【００３５】
次に、トランスポートチャネルについて説明する。報知チャネルＢＣＨは、固定かつ事前に定義された送信形式によって、セル全体に報知される。下りリンク共用チャネルＤＬ−ＳＣＨでは、ＨＡＲＱ（Hybrid Automatic Repeat Request：ハイブリッド自動再送要求）、動的適応無線リンク制御、間欠受信（ＤＲＸ：Discontinuous Reception）がサポートされ、セル全体に報知される。
【００３６】
ページングチャネルＰＣＨでは、ＤＲＸがサポートされ、セル全体に報知される必要がある。また、ページングチャネルＰＣＨは、トラフィックチャネルや他の制御チャネルに対して動的に使用される物理リソース、すなわち物理下りリンク共用チャネルＰＤＳＣＨにマッピングされる。
【００３７】
次に、物理チャネルについて説明する。物理報知チャネルＰＢＣＨは、４０ミリ秒周期で報知チャネルＢＣＨをマッピングする。物理下りリンク制御チャネルＰＤＣＣＨは、物理下りリンク共用チャネルＰＤＳＣＨの無線リソース割り当て（下りリンク割り当て：Downlink assignment）、下りリンクデータに対するハイブリッド自動再送要求（ＨＡＲＱ）情報、および、物理上りリンク共用チャネルＰＵＳＣＨの無線リソース割り当てである上りリンク送信許可（上りリンクグラント：Uplink grant）を移動局装置に通知するために使用されるチャネルである。物理下りリンク共用チャネルＰＤＳＣＨは、下りリンクデータまたはページング情報を送信するために使用されるチャネルである。
【００３８】
尚、物理下りリンク制御チャネルＰＤＣＣＨは、１サブフレームの先頭からリソースブロックの１〜３シンボルＯＦＤＭに配置され、物理下りリンク共用チャネルＰＤＳＣＨは、残りのＯＦＤＭシンボルに配置される。１サブフレームは、２つのリソースブロックから構成され、１フレームは、１０サブフレームで構成される。１リソースブロックは、１２本のサブキャリアと７つのＯＦＤＭシンボルから構成される。
【００３９】
また、基地局装置が物理下りリンク制御チャネルＰＤＣＣＨで移動局装置に物理下りリンク共用チャネルＰＤＳＣＨの無線リソース割り当てを移動局装置に通知した場合、移動局装置に割り当てられた物理下りリンク共用チャネルＰＤＳＣＨの領域は、下りリンク割り当てが通知された物理下りリンク制御チャネルＰＤＣＣＨと同じサブフレーム内の物理下りリンク共用チャネルＰＤＳＣＨである。
【００４０】
次に、チャネルマッピングについて説明する。図４に示されるように、下りリンクでは、次のようにトランスポートチャネルと物理チャネルのマッピングが行われる。報知チャネルＢＣＨは、物理報知チャネルＰＢＣＨにマッピングされる。ページングチャネルＰＣＨおよび下りリンク共用チャネルＤＬ−ＳＣＨは、物理下りリンク共用チャネルＰＤＳＣＨにマッピングされる。物理下りリンク制御チャネルＰＤＣＣＨは、物理チャネル単独で使用される。
【００４１】
また、下りリンクにおいて、次のように論理チャネルとトランスポートチャネルのマッピングが行われる。ページング制御チャネルＰＣＣＨは、ページングチャネルＰＣＨにマッピングされる。報知制御チャネルＢＣＣＨは、報知チャネルＢＣＨと下りリンク共用チャネルＤＬ−ＳＣＨにマッピングされる。共通制御チャネルＣＣＣＨ、専用制御チャネルＤＣＣＨ、専用トラフィックチャネルＤＴＣＨは、下りリンク共用チャネルＤＬ−ＳＣＨにマッピングされる。
【００４２】
図５は、ＬＴＥの上りリンクのチャネル構成を示す図である。図５に示す上りリンクのチャネルは、それぞれ論理チャネル、トランスポートチャネル、物理チャネルから構成されている。各チャネルの定義は下りリンクのチャネルと同じである。
【００４３】
上りリンクの論理チャネルには、共通制御チャネルＣＣＣＨ（Common Control Channel）、専用制御チャネルＤＣＣＨ（Dedicated Control Channel）、専用トラフィックチャネルＤＴＣＨ（Dedicated Traffic Channel）が含まれる。
【００４４】
上りリンクのトランスポートチャネルには、上りリンク共用チャネルＵＬ−ＳＣＨ（Uplink Shared Channel）とランダムアクセスチャネルＲＡＣＨ（Random Access Channel）が含まれる。
【００４５】
上りリンクの物理チャネルには、物理上りリンク制御チャネルＰＵＣＣＨ（Physical Uplink Control Channel）、物理上りリンク共用チャネルＰＵＳＣＨ（Physical Uplink Shared Channel）と物理ランダムアクセスチャネルＰＲＡＣＨ（Physical Random Access Channel）が含まれる。これらのチャネルは、基地局装置と移動局装置の間で送受信される。
【００４６】
次に、論理チャネルについて説明する。共通制御チャネルＣＣＣＨは、移動局装置とネットワーク間の制御情報を送信するために使用されるチャネルであり、ネットワークと無線リソース制御（ＲＲＣ：Radio Resource Control）接続を有していない移動局装置によって使用される。
【００４７】
専用制御チャネルＤＣＣＨは、１対１（point-to-point）の双方向チャネルであり、移動局装置とネットワーク間で個別の制御情報を送信するために利用するチャネルである。専用制御チャネルＤＣＣＨは、ＲＲＣ接続を有している移動局装置によって使用される。専用トラフィックチャネルＤＴＣＨは、１対１の双方向チャネルであり、１つの移動局装置専用のチャネルであって、ユーザー情報（ユニキャストデータ）の転送のために利用される。
【００４８】
次に、トランスポートチャネルについて説明する。上りリンク共用チャネルＵＬ−ＳＣＨでは、ＨＡＲＱ（Hybrid Automatic Repeat Request：ハイブリッド自動再送要求）、動的適応無線リンク制御、間欠送信（ＤＴＸ：Discontinuous Transmission）がサポートされる。ランダムアクセスチャネルＲＡＣＨでは、制限された制御情報が送信される。
【００４９】
次に、物理チャネルについて説明する。物理上りリンク制御チャネルＰＵＣＣＨは、下りリンクデータに対する応答情報（ＡＣＫ(Acknowledge)/ＮＡＣＫ(Negative acknowledge)）、下りリンクの無線品質情報、および、上りリンクデータの送信要求（スケジューリングリクエスト：Scheduling Request：ＳＲ）を基地局装置に通知するために使用されるチャネルである。物理上りリンク共用チャネルＰＵＳＣＨは、上りリンクデータを送信するために使用されるチャネルである。物理ランダムアクセスチャネルＰＲＡＣＨは、主に移動局装置から基地局装置への送信タイミング情報を取得するためのランダムアクセスプリアンブル送信に使用される。ランダムアクセスプリアンブル送信はランダムアクセス手順の中で行なわれる。
【００５０】
次に、チャネルマッピングについて説明する。図５に示されるように、上りリンクでは、次のようにトランスポートチャネルと物理チャネルのマッピングが行われる。上りリンク共用チャネルＵＬ−ＳＣＨは、物理上りリンク共用チャネルＰＵＳＣＨにマッピングされる。ランダムアクセスチャネルＲＡＣＨは、物理ランダムアクセスチャネルＰＲＡＣＨにマッピングされる。物理上りリンク制御チャネルＰＵＣＣＨは、物理チャネル単独で使用される。
【００５１】
また、上りリンクにおいて、次のように論理チャネルとトランスポートチャネルのマッピングが行われる。共通制御チャネルＣＣＣＨ、専用制御チャネルＤＣＣＨ、専用トラフィックチャネルＤＴＣＨは、上りリンク共用チャネルＵＬ−ＳＣＨにマッピングされる。
【００５２】
図６は、ＬＴＥの移動局装置及び基地局装置の制御データを扱うプロトコルスタック（Protocol stack）である。図７は、ＬＴＥの移動局装置及び基地局装置のユーザーデータを扱うプロトコルスタックである。図６及び図７について以下で説明する。
【００５３】
物理層（Physical layer：ＰＨＹ層）は、物理チャネル（Physical Channel）を利用して上位層に伝送サービスを提供する。ＰＨＹ層は、上位の媒体アクセス制御層（Medium Access Control layer：ＭＡＣ層）とトランスポートチャネルで接続される。トランスポートチャネルを介して、ＭＡＣ層とＰＨＹ層とレイヤ（layer：層）間でデータが移動する。移動局装置と基地局装置のＰＨＹ層間において、物理チャネルを介してデータの送受信が行われる。尚、各階層で役割を実行するエンティティー（entity）は、各階層に複数あってもよい。
【００５４】
ＭＡＣ層は、多様な論理チャネルを多様なトランスポートチャネルにマッピングを行う。ＭＡＣ層は、上位の無線リンク制御層（Radio Link Control layer：ＲＬＣ層）とは論理チャネルで接続される。論理チャネルは、伝送される情報の種類によって大きく分けられ、制御情報を伝送する制御チャネルとユーザー情報を伝送するトラフィックチャネルに分けられる。ＭＡＣ層は、間欠受送信（ＤＲＸ・ＤＴＸ）を行うためにＰＨＹ層の制御を行う機能、送信電力の情報を通知する機能、ＨＡＲＱ制御を行う機能等を持っている。
【００５５】
また、ＭＡＣ層は、各論理チャネルに対応する送信バッファのデータ量を通知する機能（バッファステータスレポート（Buffer Status Report：ＢＳＲ））、上りリンクデータを送信するための無線リソース要求を行う機能（スケジューリングリクエスト（Scheduling Request））を持っている。ＭＡＣ層は、初期アクセスやスケジューリングリクエストなどを行う場合にランダムアクセス手順を実行する。
【００５６】
ＲＬＣ層は、上位層から受信したデータを分割（Segmentation）及び連結(Concatenation)し、下位層が適切にデータ送信できるようにデータサイズを調節する。また、ＲＬＣ層は、各データが要求するＱｏＳ（Quality of Service）を保証するための機能も持つ。すなわち、ＲＬＣ層は、データの再送制御等の機能を持つ。
【００５７】
パケットデータコンバージェンスプロトコル層（Packet Data Convergence Protocol layer：ＰＤＣＰ層）は、ユーザーデータであるＩＰパケットを無線区間で効率的に伝送するために、不要な制御情報の圧縮を行うヘッダ圧縮機能を持つ。また、ＰＤＣＰ層は、データの暗号化の機能も持つ。
【００５８】
無線リソース制御層（Radio Resource Control layer：ＲＲＣ層）は、制御情報のみ定義される。ＲＲＣ層は、無線ベアラ（Radio Bearer：ＲＢ）の設定・再設定を行い、論理チャネル、トランスポートチャネル及び物理チャネルの制御を行う。ＲＢは、シグナリング無線ベアラ（Signaling Radio Bearer：ＳＲＢ）とデータ無線ベアラ（Data Radio Bearer：ＤＲＢ）とに分けられ、ＳＲＢは、制御情報であるＲＲＣメッセージを送信する経路として利用される。ＤＲＢは、ユーザー情報を送信する経路として利用される。基地局装置と移動局装置のＲＲＣ層間で各ＲＢの設定が行われる。
【００５９】
尚、ＰＨＹ層は一般的に知られる開放型システム間相互接続（Open Systems Interconnection：ＯＳＩ）モデルの階層構造の中で第一層の物理層に対応し、ＭＡＣ層、ＲＬＣ層及びＰＤＣＰ層はＯＳＩモデルの第二層であるデータリンク層に対応し、ＲＲＣ層はＯＳＩモデルの第三層であるネットワーク層に対応する。
【００６０】
ランダムアクセス手順について説明する。ランダムアクセス手順には、Contention based Random Access手順（競合ベースランダムアクセス手順）とNon-contention based Random Access手順（非競合ベースランダムアクセス手順）の２つのアクセス手順がある（非特許文献１）。
【００６１】
図８は、Contention based Random Access手順を示す図である。Contention based Random Access手順は、移動局装置間で競合（衝突）する可能性のあるランダムアクセスであり、Contention based Random Access手順は、基地局装置と接続（通信）していない状態からの初期アクセス時や基地局装置と接続中であるが、上りリンク同期が外れている状態で移動局装置に上りリンクデータ送信が発生した場合のスケジューリングリクエストなどに行われる。
【００６２】
図９は、Non-contention based Random Access手順を示す図である。Non-contention based Random Access手順は、移動局装置間で競合が発生しないランダムアクセスであり、基地局装置と移動局装置が接続中であるが、上りリンクの同期が外れている場合に迅速に移動局装置と基地局装置との間の上りリンク同期をとるためにハンドオーバーや移動局装置の送信タイミングが有効でない場合等の特別な場合に基地局装置から指示されて移動局装置がランダムアクセスを開始する（非特許文献１）。Non-contention based Random Access手順は、ＲＲＣ（Ｒａｄｉｏ  Ｒｅｓｏｕｒｃｅ  Ｃｏｎｔｒｏｌ：Ｌａｙｅｒ３）層のメッセージ及び物理下りリンク制御チャネルＰＤＣＣＨの制御データにより指示される。
【００６３】
図８を用いて、Contention based Random Access手順を簡単に説明する。まず、移動局装置１−１がランダムアクセスプリアンブルを基地局装置５に送信する（メッセージ１：（１）、ステップＳ１）。そして、ランダムアクセスプリアンブルを受信した基地局装置５が、ランダムアクセスプリアンブルに対する応答（ランダムアクセスレスポンスメッセージ）を移動局装置１−１に送信する（メッセージ２：（２）、ステップＳ２）。移動局装置１−１がランダムアクセスレスポンスメッセージに含まれているスケジューリング情報を元に上位レイヤ（Layer2/Layer3）のメッセージを送信する（メッセージ３：（３）、ステップＳ３）。基地局装置５は、（３）の上位レイヤメッセージを受信できた移動局装置１−１に競合確認メッセージを送信する（メッセージ４：（４）、ステップＳ４）。尚、Contention based Random Accessをランダムプリアンブル送信とも言う。
【００６４】
図９を用いて、Non-contention based Random Access手順を簡単に説明する。まず、基地局装置５は、プリアンブル番号（または、シーケンス番号）と使用するランダムアクセスチャネル番号を移動局装置１−１に通知する（メッセージ０：（１’）、ステップＳ１１）。移動局装置１−１は、指定されたプリアンブル番号のランダムアクセスプリアンブルを指定されたランダムアクセスチャネルＲＡＣＨに送信する（メッセージ１：（２’）、ステップＳ１２）。そして、ランダムアクセスプリアンブルを受信した基地局装置５が、ランダムアクセスプリアンブルに対する応答（ランダムアクセスレスポンスメッセージ）を移動局装置１−１に送信する（メッセージ２：（３’）、ステップＳ１３）。ただし、通知されたプリアンブル番号の値が０の場合は、Contention based Random Access手順を行なう。尚、Non-contention based Random Accessを専用プリアンブル送信とも言う。
【００６５】
図８及び図１０を用いて、移動局装置１−１が基地局装置５への接続手順を説明する。まず、移動局装置１−１は、物理報知チャネルＰＢＣＨ等から基地局装置５のシステム情報を取得し、システム情報に含まれているランダムアクセス関連情報からランダムアクセス手順を実行し基地局装置５との接続を行なう。移動局装置１−１は、システム情報のランダムアクセス関連情報等からランダムアクセスプリアンブルを生成する。そして、移動局装置１−１は、ランダムアクセスチャネルＲＡＣＨでランダムアクセスプリアンブルを送信する（メッセージ１：（１））。
【００６６】
基地局装置５は、移動局装置１−１からのランダムアクセスプリアンブルを検出すると、ランダムアクセスプリアンブルから移動局装置１−１と基地局装置５との間の送信タイミングのずれ量を算出し、Ｌａｙｅｒ２（Ｌ２）／Ｌａｙｅｒ３（Ｌ３）メッセージを送信するためスケジューリング（上りリンク無線リソース位置（物理上りリンク共用チャネルＰＵＳＣＨの位置）、送信フォーマット（メッセージサイズ）などの指定）を行ない、Ｔｅｍｐｏｒａｒｙ  Ｃ−ＲＮＴＩ（Cell-Radio Network Temporary Identity：移動局装置識別情報）を割り当て、物理下りリンク制御チャネルＰＤＣＣＨにランダムアクセスチャネルＲＡＣＨのランダムアクセスプリアンブルを送信した移動局装置１−１宛の応答（ランダムアクセスレスポンスメッセージ）を示すＲＡ−ＲＮＴＩ（Random Access-Radio Network Temporary Identity：ランダムアクセスレスポンス識別情報）を配置し、物理下りリンク共用チャネルＰＤＳＣＨに送信タイミング情報、スケジューリング情報、Ｔｅｍｐｏｒａｒｙ  Ｃ−ＲＮＴＩおよび受信したランダムアクセスプリアンブルの情報を含んだランダムアクセスレスポンスメッセージを送信する（メッセージ２：（２））。
【００６７】
移動局装置１−１は、物理下りリンク制御チャネルＰＤＣＣＨにＲＡ−ＲＮＴＩがあることを検出すると、物理下りリンク共用チャネルＰＤＳＣＨに配置されたランダムアクセスレスポンスメッセージの中身を確認し、送信したランダムアクセスプリアンブルの情報が含まれている場合、送信タイミング情報から上りリンクの送信タイミングを調整し、スケジューリングされた無線リソースと送信フォーマットでＣ−ＲＮＴＩ（またはTemporary C-RNTI）または、ＩＭＳＩ（International Mobile Subscriber Identity）等の移動局装置１−１を識別する情報を含むＬ２／Ｌ３メッセージを送信する（メッセージ３：（３））。
【００６８】
移動局装置１−１は、送信タイミングを調整した場合に、送信タイミングタイマーをスタートする。送信タイミングタイマーが動作している（または、走っている）間は、送信タイミングは有効となり、送信タイミングタイマーが満了する、または、停止している場合、送信タイミングは無効となる。送信タイミングが有効の間、移動局装置１−１は、基地局装置５へのデータ送信が可能であり、送信タイミングが無効の場合、移動局装置１−１は、ランダムアクセスプリアンブルの送信のみ可能である。また、送信タイミングが有効な期間を上りリンク同期状態と言い、送信タイミングが有効でない期間を上りリンク非同期状態とも言う。
【００６９】
基地局装置５は、移動局装置１−１からのＬ２／Ｌ３メッセージを受信すると、受信したＬ２／Ｌ３メッセージに含まれるＣ−ＲＮＴＩ（またはTemporary C-RNTI）またはＩＭＳＩを使用して移動局装置１−１〜１−３間で競合（衝突）が起こっているかどうか判断するための競合確認（コンテンションレゾリューション）メッセージを移動局装置１−１に送信する（メッセージ４：（４））。
【００７０】
移動局装置１−１はＬ２／Ｌ３メッセージを送信すると、コンテンションレゾリューションタイマーをスタートする。移動局装置１−１は、コンテンションレゾリューションタイマーが動作中に競合確認メッセージを受信した場合、ランダムアクセス手順を終了する。
【００７１】
尚、移動局装置１−１は、ランダムアクセスレスポンス受信期間（Random Access Response window）に送信したランダムアクセスプリアンブルに対応するプリアンブル番号を含むランダムアクセスレスポンスメッセージを検出しなかった場合、メッセージ３の送信に失敗した場合、または、コンテンションレゾリューションタイマータイマーが満了するまでに競合確認メッセージに自移動局装置１−１の識別情報を検出しなかった場合、ランダムアクセスプリアンブルの送信（メッセージ１：（１））からやり直す。
【００７２】
そして、ランダムアクセスプリアンブルの送信回数がシステム情報で示されたランダムアクセスプリアンブルの最大送信回数を越えた場合、移動局装置１−１は、ランダムアクセス失敗と判断し、基地局装置５との通信を切断する。尚、ランダムアクセス手順成功後は、更に基地局装置５と移動局装置１−１との間で接続の為の制御データのやり取りがされる。この時、基地局装置５は、個別に割り当てる上りリンク参照信号や物理上りリンク制御チャネルＰＵＣＣＨの割り当て情報を移動局装置１−１に通知する。
【００７３】
ランダムアクセス手順完了以降の上りリンクの送信タイミングの更新は、図１０に示すように基地局装置５が移動局装置１−１から送信される上りリンク参照信号（測定用参照信号、または、復調用参照信号）を測定して、送信タイミングを算出し、算出した送信タイミング情報を含む送信タイミングメッセージを移動局装置１−１に通知することで行なわれる。
【００７４】
移動局装置１−１は、基地局装置５から通知された送信タイミングメッセージで示された送信タイミングを更新すると送信タイミングタイマーを再スタート（restart）する。尚、基地局装置５も移動局装置１−１と同じ送信タイミングタイマーを保持しており、送信タイミング情報を送信した場合、送信タイミングタイマーをスタート、または、再スタートする。このようにすることで、基地局装置５と移動局装置１−１で上りリンク同期状態を管理する。尚、送信タイミングタイマーが満了した場合、または、送信タイミングタイマーが動作していない場合、送信タイミングは無効である。
【００７５】
３ＧＰＰでは、ＬＴＥの更なる進化のＬＴＥ−Ａｄｖａｎｃｅｄの議論も行われている。ＬＴＥ−Ａｄｖａｎｃｅｄでは、上りリンクおよび下りリンクでそれぞれ最大１００ＭＨｚ帯域幅までの帯域を使用して、最大で下りリンク１Ｇｂｐｓ以上、上りリンク５００Ｍｂｐｓ以上の伝送レートの通信を行なうことを想定している。
【００７６】
ＬＴＥ−Ａｄｖａｎｃｅｄでは、ＬＴＥの移動局装置も収容できるようにＬＴＥの２０ＭＨｚ以下の帯域を複数個束ねることで、最大で１００ＭＨｚ帯域を実現することを考えている。尚、ＬＴＥ−Ａｄｖａｎｃｅｄでは、ＬＴＥの１つの２０ＭＨｚ以下の帯域をコンポーネントキャリア（Component Carrier : CC）と呼んでいる（非特許文献１）。
【００７７】
また、１つの下りリンクのコンポーネントキャリアと１つの上りリンクのコンポーネントキャリアを組み合わせて１つのセルを構成する。尚、１つの下りリンクコンポーネントキャリアのみでも１つのセルを構成できる。複数セルを束ねて、複数セルを介して基地局装置と移動局装置が通信を行うことをキャリアアグリゲーションと言う。
【００７８】
１つの基地局装置が、移動局装置の通信能力や通信条件にあった複数のセルを割り当て、割り当てた複数のセルを介して移動局装置と通信を行なうようにしている。尚、移動局装置に割り当てられた複数のセルは、１つのセルを第一セル（プライマリーセル（Primary Cell：ＰＣｅｌｌ））とそれ以外のセルを第二セル（セカンダリーセル（Secondary Cell：ＳＣｅｌｌ））とに分類される。第一セルには、物理上りリンク制御チャネルＰＵＣＣＨの割り当てなど特別な機能が設定されている。
【００７９】
一方、ＬＴＥ−Ａｄｖａｎｃｅｄでは、マシンタイプコミュニケーション（Machine Type Communication: ＭＴＣ）またはマシン間通信（Machine To Machine: Ｍ２Ｍ）に対応する移動局装置のような特定のカテゴリーに対する移動局装置の低コスト化に関する検討が行われている（非特許文献２）。以下、ＭＴＣ／Ｍ２Ｍの移動局装置、またはＭＴＣ／Ｍ２Ｍの通信デバイスを、ＭＴＣＵＥ（Machine Type Communication User Equipment）とも称する。
【００８０】
ＬＴＥ規格及びＬＴＥ−Ａｄｖａｎｃｅｄ規格に対応した低コストのＭＴＣＵＥを実現するために、送受信帯域幅の狭帯域化、アンテナポート数／ＲＦチェーン数の削減、送受信データ転送レートの低減、半二重周波数分割多重（Half-duplex Frequency Division Duplex）方式の採用、送受信電力の低減、間欠受信間隔の延長などのコスト低減方法が提案されている。また、低コストのＭＴＣＵＥを実現する方法として、ＭＴＣＵＥの送受信ＲＦ回路、送受信ベースバンド回路の最大帯域幅の低減（Reduction of maximum bandwidth）が有効であることも提案されている。
【００８１】
また、アンテナポート数の削減などの影響による受信送信特性の低下を補償するため、１回のデータ送信に対して下りリンクデータまたは下りリンク信号を繰り返してＭＴＣＵＥに送信し、また、ＭＴＣＵＥは１回のデータ送信に対して上りリンクデータまたは上りリンク信号を繰り返して基地局装置に送信するようなことが考えられている。
【００８２】
また、ＭＴＣの検討では、低コスト化の検討だけでなく、ＭＴＣＵＥの送受信範囲を拡張させるためのカバレッジ拡張(Coverage Enhancement)の検討も行われている。送受信電力の低減およびカバレッジを拡張させるために、基地局装置は、１回のデータ送信に対して下りリンクデータまたは下りリンク信号を繰り返してＭＴＣＵＥに送信し、また、ＭＴＣＵＥは１回のデータ送信に対して上りリンクデータまたは上りリンク信号を繰り返して基地局装置に送信するようなことが考えられている。
【００８３】
ＭＴＣＵＥは、１回のデータ受信に対して基地局装置からのデータを繰り返し受信し、繰り返し受信したデータを加算してデータを復調する。また、基地局装置もＭＴＣＵＥからのデータを繰り返し受信し、繰り返し受信したデータを加算してデータを復調する。
【００８４】
例えば、基地局装置は、物理報知チャネルＰＢＣＨを４０ｍｓ以内に複数回繰り返してＭＴＣＵＥに送信する。また、基地局装置は、物理下りリンク共用チャネルＰＤＳＣＨ、物理下りリンク制御チャネルＰＤＣＣＨ、拡張物理制御チャネルＥＰＤＣＣＨ(enhanced Physical Downlink Control Channel)を複数回繰り返してＭＴＣＵＥに送信する。ＭＴＣＵＥは、物理上りリンク共用チャネルＰＵＳＣＨ、物理上りリンク制御チャネルＰＵＣＣＨ等を複数回繰り返して基地局装置に送信する。
【００８５】
また、ランダムアクセス手順では、ＭＴＣＵＥが、同じランダムアクセスプリアンブルを複数の物理ランダムアクセスチャネルＰＲＡＣＨを使用して、繰り返して送信する。そして、ランダムアクセスプリアンブルを受信した基地局装置は、ランダムアクセスレスポンスメッセージを繰り返し送信する。また、メッセージ３および競合確認メッセージも繰り返し送信される。尚、基地局装置は、繰り返し送受信回数をセル内のＭＴＣＵＥに報知チャネルＢＣＨで通知したり、また、ＭＴＣＵＥ個別に通知したりする（非特許文献３）。
【００８６】
例えば、ランダムアクセスプリアンブルの繰り返し送信回数またはランダムアクセスレスポンスメッセージの繰り返し受信回数は、報知チャネルＢＣＨで通知される。また、ランダムアクセスプリアンブルの繰り返し送信回数には、複数種類の繰り返し送信回数があり、ＭＴＣＵＥが複数種類の繰り返し送信回数から１つの繰り返し送信回数を選択できるようなことも検討されている。基地局装置から設定された繰り返し送信回数のことを、１試行回数（attempt）とも称する。
【００８７】
物理下りリンク制御チャネルＰＤＣＣＨの受信、拡張物理制御チャネルＥＰＤＣＣＨの受信、物理上りリンク制御チャネルＰＵＣＣＨの送信および物理ランダムアクセスチャネルＰＲＡＣＨ（またはランダムアクセスプリアンブル）の送信に対する繰り返し制御をレピティション(repetition)と呼び、物理下りリンク共用チャネルＰＤＳＣＨの受信および物理上りリンク共用チャネルＰＵＳＣＨの送信に対する繰り返し制御をバンドリング（bundling）とも呼ぶ。
【００８８】
バンドリングが設定されるとき、バンドルサイズが一つのバンドルのサブフレーム数を定義する。バンドリングオペレーションは同じバンドルを構成するそれぞれの送信に対する同じＨＡＲＱプロセスを発動するＨＡＲＱエンティティに頼る。一つのバンドル内で、ＨＡＲＱ再送は、ノンアダプティブであり、バンドルサイズに応じて、前回の送信からのフィードバックを待つことなしにトリガーされる。一つのバンドルのＨＡＲＱフィードバックは、バンドルの最後のサブフレームに対してのみ端末装置によって受信（ＰＵＳＣＨ用のＨＡＲＱ−ＡＣＫ）または送信（ＰＤＳＣＨ用のＨＡＲＱ−ＡＣＫ）受信される。バンドリング処理は、ＭＡＣ層で行われる。
【００８９】
尚、マシンタイプコミュニケーション（Machine Type Communication: ＭＴＣ）またはマシン間通信（Machine To Machine: Ｍ２Ｍ）用に設計され、低コスト化および／またはカバレッジ拡張に対応移動局装置、またはＭＴＣ／Ｍ２Ｍの通信デバイスを、ＭＴＣＵＥ（Machine Type Communication User Equipment）として以下に示す。ただし、このような移動局装置の用途はマシンタイプコミュニケーションやマシン間通信に限定されない。また、低コスト化やカバレッジ拡張などの特徴を持たない移動局装置を、単に移動局装置として以下に示す。
【００９０】
（実施形態）
[構成説明]
図１は、本発明の実施形態に係るＭＴＣＵＥの構成を示す図である。ＭＴＣＵＥ３−１〜３−３は、データ生成部１０１、送信データ記憶部１０３、送信ＨＡＲＱ処理部１０５、送信処理部１０７、無線部１０９、受信処理部１１１、受信ＨＡＲＱ処理部１１３、ＭＡＣ情報抽出部１１５、ＰＨＹ制御部１１７、ＭＡＣ制御部１１９、データ処理部１２１、および、ＲＲＣ制御部１２３から構成される。
【００９１】
上位層からのユーザーデータおよびＲＲＣ制御部１２３からの制御データは、データ生成部１０１に入力される。データ生成部１０１は、ＰＤＣＰ層、ＲＬＣ層の機能を持つ。データ生成部１０１は、ユーザーデータのＩＰパケットのヘッダ圧縮やデータの暗号化、データの分割及び結合等の処理を行い、データサイズを調節する。データ生成部１０１は、処理を行ったデータを送信データ記憶部１０３に出力する。
【００９２】
送信データ記憶部１０３は、データ生成部１０１から入力されたデータを蓄積し、ＭＡＣ制御部１１９からの指示に基づいて指示されたデータを指示されたデータ量分だけ送信ＨＡＲＱ処理部１０５に出力する。また、送信データ記憶部１０３は、蓄積されたデータのデータ量の情報をＭＡＣ制御部１１９に出力する。
【００９３】
送信ＨＡＲＱ処理部１０５は、入力データに符号化を行い、符号化したデータにパンクチャ処理を行う。そして、送信ＨＡＲＱ処理部１０５は、パンクチャしたデータを送信処理部１０７に出力し、符号化したデータを保存する。送信ＨＡＲＱ処理部１０５は、ＭＡＣ制御部１１９からデータの再送を指示された場合、保存してある（バッファリングしてある）符号化したデータから前回に行なったパンクチャと異なるパンクチャ処理を行い、パンクチャしたデータを送信処理部１０７に出力する。送信ＨＡＲＱ処理部１０５は、ＭＡＣ制御部１１９からデータの消去を指示された場合、指定されたセルに対応するデータの消去を行う。
【００９４】
送信処理部１０７は、送信ＨＡＲＱ処理部１０５から入力されたデータに変調・符号化を行なう。送信処理部１０７は、変調・符号化されたデータをＤＦＴ（Discrete Fourier Transform（離散フーリエ変換））−ＩＦＦＴ（Inverse Fast Fourier Transform（逆高速フーリエ変換））処理し、処理後、ＣＰ（Cyclic prefix）を挿入し、ＣＰ挿入後のデータを上りリンクの各コンポーネントキャリア（セル）の物理上りリンク共用チャネル（ＰＵＳＣＨ）に配置し、無線部１０９に出力する。
【００９５】
また、送信処理部１０７は、ＰＨＹ制御部１１７から受信データの応答指示があった場合、ＡＣＫまたはＮＡＣＫ信号を生成し、生成した信号を物理上りリンク制御チャネル（ＰＵＣＣＨ）に配置し、無線部１０９に出力する。送信処理部１０７は、ＰＨＹ制御部１１７からランダムアクセスプリアンブルの送信指示があった場合、ランダムアクセスプリアンブルを生成し、生成した信号を物理ランダムアクセスチャネルＰＲＡＣＨに配置し、無線部１０９に出力する。
【００９６】
無線部１０９は、送信処理部１０７から入力されたデータをＰＨＹ制御部１１７から指示された送信位置情報（送信セル情報）の無線周波数にアップコンバートし、送信電力を調整して送信アンテナからデータを送信する。また、無線部１０９は、受信アンテナより受信した無線信号をダウンコンバートし、受信処理部１１１に出力する。無線部１０９は、ＰＨＹ制御部１１７から受信した送信タイミング情報を上りリンクの送信タイミングとして設定する。
【００９７】
受信処理部１１１は、無線部１０９から入力された信号をＦＦＴ（Fast Fourier Transform（高速フーリエ変換））処理、復号化、復調処理等を行なう。受信処理部１１１は、物理下りリンク制御チャネルＰＤＣＣＨまたは拡張物理下りリンク制御チャネルＥＰＤＣＣＨの復調を行い、自移動局装置の下りリンク割り当て情報を検出した場合、下りリンク割り当て情報にもとづいて、物理下りリンク共用チャネルＰＤＳＣＨの復調を行い、下りリンク割り当て情報を取得したことをＭＡＣ制御部１１９に出力する。
【００９８】
受信処理部１１１は、復調した物理下りリンク共用チャネルＰＤＳＣＨのデータを受信ＨＡＲＱ処理部１１３に出力する。受信処理部１１１は、物理下りリンク制御チャネルＰＤＣＣＨまたは拡張物理下りリンク制御チャネルＥＰＤＣＣＨの復調を行い、上りリンク送信許可情報（Uplink grant:上りリンクグラント）、上りリンク送信データの応答情報（ＡＣＫ／ＮＡＣＫ）を検出した場合、取得した応答情報をＭＡＣ制御部１１９に出力する。尚、上りリンク送信許可情報は、データの変調・符号化方式、データサイズ情報、ＨＡＲＱ情報、送信位置情報などがある。
【００９９】
受信ＨＡＲＱ処理部１１３は、受信処理部１１１からの入力データの復号処理を行い、復号処理に成功した場合、データをＭＡＣ情報抽出部１１５に出力する。受信ＨＡＲＱ処理部１１３は、入力データの復号処理に失敗した場合、復号処理に失敗したデータを保存する。受信ＨＡＲＱ処理部１１３は、再送データを受信した場合、保存してあるデータと再送データを合成し、復号処理を行う。また、受信ＨＡＲＱ処理部１１３は、入力データの復号処理の成否をＭＡＣ制御部１１９に通知する。
【０１００】
ＭＡＣ情報抽出部１１５は、受信ＨＡＲＱ処理部１１３から入力されたデータからＭＡＣ層（Medium Access Control layer）の制御データを抽出し、抽出したＭＡＣ制御情報をＭＡＣ制御部１１９に出力する。ＭＡＣ情報抽出部１１５は、残りのデータをデータ処理部１２１に出力する。データ処理部１２１は、ＰＤＣＰ層、ＲＬＣ層の機能を持ち、圧縮されたＩＰヘッダの伸長（復元）機能や暗号化されたデータの復号機能、データの分割及び結合等の処理を行い、データを元の形に戻す。データ処理部１２１は、ＲＲＣメッセージとユーザーデータに分け、ＲＲＣメッセージをＲＲＣ制御部１２３に出力し、ユーザーデータを上位層に出力する。
【０１０１】
ＰＨＹ制御部１１７は、ＭＡＣ制御部１１９からの指示により送信処理部１０７、無線部１０９、および、受信処理部１１１を制御する。ＰＨＹ制御部１１７は、ＭＡＣ制御部１１９から通知された変調・符号化方式、送信電力情報から変調・符号化方式を送信処理部１０７に通知し、送信セルの周波数情報および送信電力情報を無線部１０９に通知する。
【０１０２】
また、ＰＨＹ制御部１１７は、ＭＡＣ制御部１１９の指示により、送信処理部１０７、無線部１０９および受信処理部１１１の電源（電力供給の）ＯＮ／ＯＦＦ制御を行う。ＯＮ／ＯＦＦ制御とは、電力供給を待機電力まで下げることを含む省電力制御を示す。ＰＨＹ制御部１１７は、ＲＲＣ制御部１２３から通知された繰り返し送受信回数にもとづいて送信処理部１０７、受信処理部１１１を制御する。
【０１０３】
ＭＡＣ制御部１１９は、ＭＡＣ層の機能を持ち、ＲＲＣ制御部１２３や下位層などから取得した情報をもとにＭＡＣ層の制御を行う。ＭＡＣ制御部１１９は、ＲＲＣ制御部１２３から指定されたデータ送信制御設定および送信データ記憶部１０３から取得したデータ量情報および受信処理部１１１から取得した上りリンク送信許可情報をもとにデータ送信優先順位を決定し、送信するデータに関する情報を送信データ記憶部１０３に通知する。また、ＭＡＣ制御部１１９は、送信ＨＡＲＱ処理部１０５にＨＡＲＱ情報を通知し、ＰＨＹ制御部１１７に変調・符号化方式を出力する。
【０１０４】
また、ＭＡＣ制御部１１９は、受信処理部１１１から上りリンク送信データに対する応答情報を取得し、応答情報がＮＡＣＫ（否応答）を示していた場合、送信ＨＡＲＱ処理部１０５とＰＨＹ制御部１１７に再送を指示する。ＭＡＣ制御部１１９は、受信ＨＡＲＱ処理部１１３からデータの復号処理の成否情報を取得した場合、ＰＨＹ制御部１１７にＡＣＫまたはＮＡＣＫ信号を送信するように指示する。
【０１０５】
ＭＡＣ制御部１１９は、ＭＡＣ情報抽出部１１５から入力されたＭＡＣ制御情報の中で間欠受信（ＤＲＸ）制御情報を取得した場合、間欠受信制御を行うために無線部１０９、送信処理部１０７及び受信処理部１１１の動作開始／動作停止制御を行うためにＰＨＹ制御部１１７を制御する。
【０１０６】
また、ＭＡＣ制御部１１９は、ランダムアクセス手順を実行する。ＭＡＣ制御部１１９は、ランダムアクセスプリアンブルの選択、ランダムアクセスレスポンスメッセージの受信処理、コンテンションレゾリューションタイマーの管理等の処理を行う。
【０１０７】
ＭＡＣ制御部１１９は、ＲＲＣ制御部１２３から送信タイミングタイマー情報を取得する。ＭＡＣ制御部１１９は、送信タイミングタイマーを用いて上りリンクの送信タイミングを有効・無効を管理する。ＭＡＣ制御部１１９は、ＭＡＣ情報抽出部１１５から入力されたＭＡＣ制御情報の中で送信タイミングメッセージに含まれる送信タイミング情報をＰＨＹ制御部１１７へ出力する。ＭＡＣ制御部１１９は、送信タイミングを適用した場合、送信タイミングタイマーをスタートまたはリスタートさせる。
【０１０８】
ＭＡＣ制御部１１９は、送信タイミングタイマーが満了した場合、送信ＨＡＲＱ処理部１０５に保存してあるデータの消去を指示する。ＭＡＣ制御部１１９は、物理上りリンク制御チャネルＰＵＣＣＨおよび上りリンク測定用参照信号の無線リソースを解放するようＲＲＣ制御部１２３に通知する。また、ＭＡＣ制御部１１９は、上りリンク送信許可情報を破棄する。
【０１０９】
また、ＭＡＣ制御部１１９は、ＲＲＣ制御部１２３から取得した繰り返し制御タイマー情報を用いて繰り返し送受信制御を管理する。ＭＡＣ制御部１１９は、ＭＡＣ情報抽出部１１５から入力されたＭＡＣ制御情報の中で繰り返し制御タイマーのスタートまたは再スタートを指示する制御情報を取得した場合、繰り返し制御タイマーのスタートまたは再スタートをする。そして、ＭＡＣ制御部１１９は、ＲＲＣ制御部１２３に繰り返し制御タイマーが満了したことを通知する。尚、繰り返し制御タイマーの管理は、ＲＲＣ制御部１２３が行ってもよい。
【０１１０】
ＭＡＣ制御部１１９は、送信データ記憶部１０３に蓄積されているデータ量情報であるバッファステータスレポート（ＢＳＲ）を作成し、送信データ記憶部１０３に出力する。また、ＭＡＣ制御部１１９は、送信電力情報であるパワーヘッドルームレポート（Power Headroom Report：ＰＨＲ）を作成し、送信データ記憶部１０３に出力する。
【０１１１】
ＲＲＣ制御部１２３は、基地局装置５との接続・切断処理、制御データおよびユーザーデータのデータ送信制御設定など基地局装置５と通信を行うための各種設定を行う。ＲＲＣ制御部１２３は、各種設定に伴う上位層との情報のやり取りを行い、前記各種設定に伴う下位層の制御を行う。
【０１１２】
ＲＲＣ制御部１２３は、ＲＲＣメッセージを作成し、作成したＲＲＣメッセージをデータ生成部１０１に出力する。ＲＲＣ制御部１２３は、データ処理部１２１から入力されたＲＲＣメッセージを解析する。ＲＲＣ制御部１２３は、自ＭＴＣＵＥの送信能力を示したメッセージを作成し、データ生成部１０１に出力する。また、ＲＲＣ制御部１２３は、ＭＡＣ層に必要な情報をＭＡＣ制御部１１９に出力し、物理層に必要な情報をＰＨＹ制御部１１７に出力する。
【０１１３】
ＲＲＣ制御部１２３は、送信タイミングタイマー情報を取得した場合、ＭＡＣ制御部１１９に送信タイミングタイマー情報を出力する。ＲＲＣ制御部１２３は、ＭＡＣ制御部１１９から物理上りリンク制御チャネルＰＵＣＣＨまたは上りリンク測定用参照信号の解放を通知された場合、割り当てられている物理上りリンク制御チャネルＰＵＣＣＨおよび上りリンク測定用参照信号を解放し、ＰＨＹ制御部１１７に物理上りリンク制御チャネルＰＵＣＣＨおよび上りリンク測定用参照信号の解放を指示する。
【０１１４】
ＲＲＣ制御部１２３は、繰り返し送受信制御メッセージを取得した場合、ＭＡＣ制御部１１９およびＰＨＹ制御部１１７に繰り返し送受信回数および繰り返し制御タイマー情報を出力する。ＲＲＣ制御部１２３は、繰り返し制御タイマーが満了した場合、ＭＡＣ制御部１１９およびＰＨＹ制御部１１７に１または最大の繰り返し送受信回数を通知する。
【０１１５】
尚、送信処理部１０７、無線部１０９、受信処理部１１１、ＰＨＹ制御部１１７は、物理層の動作を行い、送信データ記憶部１０３、送信ＨＡＲＱ処理部１０５、受信ＨＡＲＱ処理部１１３、ＭＡＣ情報抽出部１１５、ＭＡＣ制御部１１９は、ＭＡＣ層の動作を行い、データ生成部１０１及びデータ処理部１２１は、ＲＬＣ層及びＰＤＣＰ層の動作を行い、ＲＲＣ制御部１２３はＲＲＣ層の動作を行う。
【０１１６】
図２は、本発明の実施形態に係る基地局装置の構成を示す図である。基地局装置５はデータ生成部２０１、送信データ記憶部２０３、送信ＨＡＲＱ処理部２０５、送信処理部２０７、無線部２０９、受信処理部２１１、受信ＨＡＲＱ処理部２１３、ＭＡＣ情報抽出部２１５、ＰＨＹ制御部２１７、ＭＡＣ制御部２１９、データ処理部２２１およびＲＲＣ制御部２２３から構成される。
【０１１７】
上位層からのユーザーデータおよびＲＲＣ制御部２２３からの制御データは、データ生成部２０１に入力される。データ生成部２０１は、ＰＤＣＰ層、ＲＬＣ層の機能を持ち、ユーザーデータのＩＰパケットのヘッダ圧縮やデータの暗号化、データの分割及び結合等の処理を行い、データサイズを調節する。データ生成部２０１は、処理を行ったデータとデータの論理チャネル情報を送信データ記憶部２０３に出力する。
【０１１８】
送信データ記憶部２０３は、データ生成部２０１から入力されたデータをユーザー毎に蓄積し、ＭＡＣ制御部２１９からの指示に基づいて指示されたユーザーのデータを指示されたデータ量分だけ送信ＨＡＲＱ処理部２０５に出力する。また、送信データ記憶部２０３は、蓄積されたデータのデータ量の情報をＭＡＣ制御部２１９に出力する。
【０１１９】
送信ＨＡＲＱ処理部２０５は、入力データに符号化を行い、符号化したデータにパンクチャ処理を行う。そして、送信ＨＡＲＱ処理部２０５は、パンクチャしたデータを送信処理部２０７に出力し、符号化したデータを保存する。送信ＨＡＲＱ処理部２０５は、ＭＡＣ制御部２１９からデータの再送を指示された場合、保存してある符号化したデータから前回に行なったパンクチャと異なるパンクチャ処理を行い、パンクチャしたデータを送信処理部２０７に出力する。
【０１２０】
送信処理部２０７は、送信ＨＡＲＱ処理部２０５から入力されたデータに変調・符号化を行なう。送信処理部２０７は、変調・符号化されたデータを各セルの物理下りリンク制御チャネルＰＤＣＣＨ、下りリンク同期信号、物理報知チャネルＰＢＣＨ、物理下りリンク共用チャネルＰＤＳＣＨなどの信号及び各チャネルにマッピングし、マッピングしたデータを直列／並列変換、ＩＦＦＴ（Inverse Fast Fourier Transform（逆高速フーリエ変換））変換、ＣＰ挿入などのＯＦＤＭ信号処理を行い、ＯＦＤＭ信号を生成する。
【０１２１】
そして、送信処理部２０７は、生成したＯＦＤＭ信号を無線部２０９に出力する。また、送信処理部２０７は、ＭＡＣ制御部２１９から受信データの応答指示があった場合、ＡＣＫまたはＮＡＣＫ信号を生成し、生成した信号を物理下りリンク制御チャネルＰＤＣＣＨに配置し、無線部２０９に出力する。
【０１２２】
無線部２０９は、送信処理部２０７から入力されたデータを無線周波数にアップコンバートし、送信電力を調整して送信アンテナからデータを送信する。また、無線部２０９は、受信アンテナより受信した無線信号をダウンコンバートし、受信処理部２１１に出力する。受信処理部２１１は、無線部２０９から入力された信号をＦＦＴ（Fast Fourier Transform（高速フーリエ変換））処理、復号化、復調処理等を行なう。
【０１２３】
受信処理部２１１は、復調したデータの中で物理上りリンク共用チャネルＰＵＳＣＨのデータを受信ＨＡＲＱ処理部２１３に出力する。また、受信処理部２１１は、復調したデータの中で物理上りリンク制御チャネルＰＵＣＣＨから取得した制御データの下りリンク送信データの応答情報（ＡＣＫ／ＮＡＣＫ）、下りリンク無線品質情報（ＣＱＩ）及び上りリンク送信要求情報（スケジューリングリクエスト）をＭＡＣ制御部２１９に出力する。また、受信処理部２１１は、ＭＴＣＵＥ３−１の上りリンク測定用参照信号から上りリンク無線品質を算出し、上りリンク無線品質情報をＲＲＣ制御部２２３およびＭＡＣ制御部２１９に出力する。
【０１２４】
受信処理部２１１は、ランダムアクセスプリアンブルを検出した場合、検出したランダムアクセスプリアンブルから送信タイミングを算出して、検出したランダムアクセスプリアンブルの番号と算出した送信タイミングをＭＡＣ制御部２１９に出力する。受信処理部２１１は、上りリンク参照信号から送信タイミングを算出して、算出した送信タイミングをＭＡＣ制御部２１９に出力する。
【０１２５】
受信ＨＡＲＱ処理部２１３は、受信処理部２１１からの入力データの復号処理を行い、復号処理に成功した場合、データをＭＡＣ情報抽出部２１５に出力する。受信ＨＡＲＱ処理部２１３は、入力データの復号処理に失敗した場合、復号処理に失敗したデータを保存する。受信ＨＡＲＱ処理部２１３は、再送データを受信した場合、保存してあるデータと再送データを合成し、復号処理を行う。また、受信ＨＡＲＱ処理部２１３は、入力データの復号処理の成否をＭＡＣ制御部２１９に通知する。受信ＨＡＲＱ処理部２１３は、ＭＡＣ制御部２１９からデータの消去を指示された場合、指定されたセルに対応するデータの消去を行う。
【０１２６】
ＭＡＣ情報抽出部２１５は、受信ＨＡＲＱ処理部２１３から入力されたデータからＭＡＣ層の制御データを抽出し、抽出した制御情報をＭＡＣ制御部２１９に出力する。ＭＡＣ情報抽出部２１５は、残りのデータをデータ処理部２２１に出力する。データ処理部２２１は、ＰＤＣＰ層、ＲＬＣ層の機能を持ち、圧縮されたＩＰヘッダの伸長（復元）機能や暗号化されたデータの復号機能、データの分割及び結合等の処理を行い、データを元の形に戻す。データ処理部２２１は、ＲＲＣメッセージとユーザーデータに分け、ＲＲＣメッセージをＲＲＣ制御部２２３に出力し、ユーザーデータを上位層に出力する。
【０１２７】
ＭＡＣ制御部２１９は、ＭＡＣ層の機能を持ち、ＲＲＣ制御部２２３や下位層などから取得した情報をもとにＭＡＣ層の制御を行う。ＭＡＣ制御部２１９は、下りリンクおよび上りリンクのスケジューリング処理を行う。
【０１２８】
ＭＡＣ制御部２１９は、受信処理部２１１から入力された下りリンク送信データの応答情報（ＡＣＫ／ＮＡＣＫ）、下りリンク無線品質情報（ＣＱＩ）、上りリンク無線品質情報および上りリンク送信要求情報（スケジューリングリクエスト）、ＭＡＣ情報抽出部２１５から入力された制御情報及び送信データ記憶部２０３から取得したユーザー毎のデータ量情報、繰り返し送受信回数および、ＭＴＣＵＥ３−１の受信動作状態にもとづいて下りリンク及び上りリンクのスケジューリング処理を行う。ＭＡＣ制御部２１９は、スケジュール結果を送信処理部２０７に出力する。また、ＭＡＣ制御部２１９は、ＲＲＣ制御部２２３から取得した間欠受信パラメータからＭＴＣＵＥ３−１の受信動作状態を判断する。
【０１２９】
また、ＭＡＣ制御部２１９は、受信処理部２１１から上りリンク送信データに対する応答情報を取得し、応答情報がＮＡＣＫ（否応答）を示していた場合、送信ＨＡＲＱ処理部２０５と送信処理部２０７に再送を指示する。ＭＡＣ制御部２１９は、受信ＨＡＲＱ処理部２１３からデータの復号処理の成否情報を取得した場合、送信処理部２０７にＡＣＫまたはＮＡＣＫ信号を送信するように指示する。
【０１３０】
ＭＡＣ制御部２１９は、受信処理部２１１からランダムアクセスプリアンブル番号と送信タイミングを取得した場合、ランダムアクセスレスポンスメッセージを作成し、ランダムアクセスレスポンスメッセージを送信データ記憶部２０３に出力する。また、ＭＡＣ制御部２１９は、受信処理部２１１から送信タイミングを取得した場合、送信タイミングを含んだ送信タイミングメッセージを作成し、送信タイミングメッセージを送信データ記憶部２０３に出力する。
【０１３１】
尚、ＭＡＣ制御部２１９は、受信処理部２１１から通知されたランダムアクセスプリアンブル番号により、ＭＴＣＵＥ、または移動局装置かを判断する。そして、ランダムアクセスレスポンスメッセージの送信、コンテンションレゾリューションの送信およびメッセージ３の受信に繰り返し送信または繰り返し受信が必要か判断し、ランダムアクセスレスポンスメッセージの送信、コンテンションレゾリューションの送信およびメッセージ３の受信のスケジューリングを行う。
【０１３２】
また、ＭＡＣ制御部２１９は、上りリンク送信タイミングの管理を行う。ＭＡＣ制御部２１９は、送信タイミングタイマーを用いてＭＴＣＵＥ３−１の送信タイミンググループの上りリンク送信タイミングを管理する。ＭＡＣ制御部２１９は、ＭＴＣＵＥ３−１に送信タイミングメッセージを送信した場合、送信タイミングタイマーをスタートまたはリスタートする。
【０１３３】
ＭＡＣ制御部２１９は、ＭＴＣＵＥ３−１において、受信ＨＡＲＱ処理部２１３にＭＴＣＵＥ３−１に対して保存してあるデータの消去を指示する。ＭＡＣ制御部２１９は、ＭＴＣＵＥ３−１に割り当てた物理上りリンク制御チャネルＰＵＣＣＨおよび上りリンク測定用参照信号の無線リソースを解放するようＲＲＣ制御部２２３に通知する。また、ＭＡＣ制御部２１９は、ＭＴＣＵＥ３−１に対する上りリンクデータのスケジューリングを停止する。
【０１３４】
また、ＭＡＣ制御部２１９は、ＲＲＣ制御部２２３から取得した繰り返し制御タイマーを用いて繰り返し送受信を制御する。ＭＡＣ制御部２１９は、繰り返し制御タイマーのスタートまたは再スタートを指示する制御情報を作成する。ＭＡＣ制御部２１９は、繰り返し制御タイマーのスタートまたは再スタートを指示する制御情報が送信された場合、繰り返し制御タイマーのスタートまたは再スタートをする。
【０１３５】
ＲＲＣ制御部２２３は、ＭＴＣＵＥ３−１との接続・切断処理、ＭＴＣＵＥ３−１の制御データおよびユーザーデータをどのセルで送受信するかのデータ送信制御設定などＭＴＣＵＥ３−１と通信を行うための各種設定を行い、前記各種設定に伴う上位層との情報のやり取りを行い、前記各種設定に伴う下位層の制御を行う。
【０１３６】
ＲＲＣ制御部２２３は、各種ＲＲＣメッセージを作成し、作成したＲＲＣメッセージをデータ生成部２０１に出力する。ＲＲＣ制御部２２３は、データ処理部２２１から入力されたＲＲＣメッセージを解析する。
【０１３７】
ＲＲＣ制御部２２３は、システム情報を含んだメッセージを作成する。尚、ＲＲＣ制御部２２３は、ＭＴＣＵＥ３−１に対するシステム情報を含んだメッセージと移動局装置１−１に対するシステム情報を含んだメッセージを作成してもよい。
【０１３８】
ＲＲＣ制御部２２３は、ＭＴＣＵＥ３−１からの測定報告メッセージおよび／または受信処理部２１１からの上りリンク無線品質情報に基づいて繰り返し送受信回数（繰り返し受信回数、繰り返し送信回数）の情報を設定する。すなわち、ＲＲＣ制御部２２３は、物理下りリンク共用チャネルＰＤＳＣＨ、物理下りリンク制御チャネルＰＤＣＣＨおよび拡張物理制御チャネルＥＰＤＣＣＨの繰り返し受信回数と、物理上りリンク共用チャネルＰＵＳＣＨおよび物理上りリンク制御チャネルＰＵＣＣＨの繰り返し送信回数をＭＴＣＵＥ３−１毎に設定する。繰り返し送受信回数は、上りリンクと下りリンク毎に設定されてもよいし、物理チャネル毎に設定されてもよい。また、ＲＲＣ制御部２２３は、ＭＴＣＵＥ３−１に対する繰り返し制御タイマーを設定する。
【０１３９】
そして、ＲＲＣ制御部２２３は、繰り返し送受信回数および繰り返し制御タイマーのどちらか一つまたは両方を含んだ繰り返し送受信制御メッセージを作成し、繰り返し送受信制御メッセージを送信データ記憶部２０３に出力する。また、ＲＲＣ制御部２２３は、ＭＴＣＵＥ３−１に対して設定した繰り返し受信回数、繰り返し送信回数および繰り返し制御タイマーをＭＡＣ制御部２１９およびＰＨＹ制御部２１７に通知する。繰り返し送受信制御メッセージは、例えばＲＲＣ再設定メッセージでもよいし、新規のＲＲＣメッセージでもよい。
【０１４０】
また、ＲＲＣ制御部２２３は、ＭＡＣ層に必要な情報をＭＡＣ制御部２１９に出力し、物理層に必要な情報をＰＨＹ制御部２１７に出力する。ＲＲＣ制御部２２３は、ＭＡＣ制御部２１９から物理上りリンク制御チャネルＰＵＣＣＨまたは上りリンク測定用参照信号の解放を通知された場合、割り当てられている物理上りリンク制御チャネルＰＵＣＣＨおよび上りリンク測定用参照信号を解放し、ＰＨＹ制御部２１７に物理上りリンク制御チャネルＰＵＣＣＨおよび上りリンク測定用参照信号の解放を指示する。
【０１４１】
尚、送信処理部２０７、無線部２０９、受信処理部２１１は、ＰＨＹ層の動作を行い、送信データ記憶部２０３、送信ＨＡＲＱ処理部２０５、受信ＨＡＲＱ処理部２１３、ＭＡＣ情報抽出部２１５、ＭＡＣ制御部２１９は、ＭＡＣ層の動作を行い、データ生成部２０１及びデータ処理部２２１は、ＲＬＣ層及びＰＤＣＰ層の動作を行い、ＲＲＣ制御部２２３はＲＲＣ層の動作を行う。
【０１４２】
[動作説明]
図３〜図１０で説明したような無線通信システムを想定する。そして、図３が示すように、基地局装置５とＭＴＣＵＥ３−１、３−２、３−３または移動局装置１−１、１−２、１−３とが通信を行う。
【０１４３】
ＭＴＣＵＥ３−１および基地局装置５の動作を説明する。ＭＴＣＵＥ３−１は、セルサーチを行い、基地局装置５の１つのセルを見つける。ＭＴＣＵＥ３−１は、セルの物理報知チャネルＰＢＣＨなどを受信し、システム情報（セルの物理チャネル構成、送信電力情報、ランダムアクセス手順に関連する情報、送信タイミングタイマー情報など）を取得する。
【０１４４】
尚、ランダムアクセス手順に関連する情報は、物理ランダムアクセスチャネルＰＲＡＣＨの配置情報およびランダムアクセスプリアンブルの生成情報を含むランダムアクセスチャネル設定情報とランダムアクセスプリアンブルの選択情報、ランダムアクセスプリアンブルの送信電力情報、ランダムアクセスレスポンスメッセージ受信に関する情報、メッセージ３送信に関する情報およびコンテンションレゾリューションメッセージ受信に関する情報を含むランダムアクセス共通設定情報から構成される。
【０１４５】
ランダムアクセスプリアンブルの選択情報は、ランダムアクセスプリアンブルの繰り返し送信回数に対応したランダムアクセスプリアンブルの選択範囲情報が含まれてもよい。また、ランダムアクセスプリアンブルの繰り返し送信回数に対応したランダムアクセスレスポンスメッセージ受信に関する情報、メッセージ３送信に関する情報およびコンテンションレゾリューションメッセージ受信に関する情報が複数構成されていてもよい。
【０１４６】
尚、基地局装置５は、システム情報をＭＴＣＵＥ３−１に対して報知するシステム情報と移動局装置１−１に対して報知するシステム情報に分けてもよい。また、基地局装置５は、ＭＴＣＵＥ３−１に対して報知するシステム情報の内容と移動局装置１−１に対して報知するシステム情報の内容で異なる内容を設定してもよい。例えば、基地局装置５は、従来のシステム情報のＳｙｓｔｅｍ  Ｉｎｆｏｒｍａｔｉｏｎ  Ｂｌｏｃｋ  Ｔｙｐｅ  １（System Information Block Type1）を移動局装置１−１に報知する。また、基地局装置５は、新たなシステム情報のＳｙｓｔｅｍ  Ｉｎｆｏｒｍａｔｉｏｎ  Ｂｌｏｃｋ  Ｔｙｐｅ  １Ａ（System Information Block Type1A）をＭＴＣＵＥ３−１に報知するようにしてもよい。
【０１４７】
そして、ＭＴＣＵＥ３−１は、ランダムアクセスプリアンブルの選択情報を使用して、ＭＴＣＵＥ３−１が使用するランダムアクセスプリアンブルを選択する。例えば、ＭＴＣＵＥ３−１は、下りリンクの無線品質等にもとづいてランダムアクセスプリアンブルの選択範囲情報の中からランダムアクセスプリアンブルおよびランダムアクセスプリアンブルの繰り返し送信回数を選択するようにしてもよい。
【０１４８】
繰り返し送信回数は、システム情報によってその最大値がセル毎に設定されてもよい。そして、ＭＴＣＵＥ３−１は、初期アクセスのためにセルの物理ランダムアクセスチャネルＰＲＡＣＨのリソースを用いてランダムアクセスプリアンブルを送信する。ランダムアクセスプリアンブルは、ランダムアクセスプリアンブル送信の繰り返し送信回数に達するまで、同じ送信電力で送信される。
【０１４９】
ランダムアクセスプリアンブル送信の繰り返し送信回数は、ランダムアクセス共通情報に含まれてもよい。また、ランダムアクセスプリアンブル送信の繰り返し送信回数は、ＭＴＣＵＥ３−１によって選択されるランダムアクセスプリアンブルと対応して設定されるようにしてもよい。ランダムアクセスプリアンブルの選択情報は、移動局装置が選択するランダムアクセスプリアンブルに関する情報とＭＴＣＵＥ３−１が選択するランダムアクセスプリアンブルに関する情報から構成されてもよい。
【０１５０】
基地局装置５は、ランダムアクセスプリアンブル検出後、受信したランダムアクセスプリアンブルからＭＴＣＵＥ３−１の上りリンクの送信タイミングを算出し、送信タイミング情報を含んだランダムアクセスレスポンスメッセージを作成し、ランダムアクセスレスポンスメッセージを含んだ物理下りリンク共用チャネルＰＤＳＣＨを繰り返し送信する。基地局装置５は、ランダムアクセスレスポンスメッセージにＭＴＣＵＥ３−１に対する繰り返し送信回数を含めてもよい。
【０１５１】
そして、ＭＴＣＵＥ３−１は、ランダムアクセスプリアンブル送信後、ランダムアクセスレスポンスメッセージ受信をするために、物理下りリンク制御チャネルＰＤＣＣＨまたは拡張物理下りリンク制御チャネルＥＰＤＣＣＨでＲＡ−ＲＮＴＩ（Random Access-Radio Network Temporary Identity：ランダムアクセスレスポンス識別情報）をランダムアクセスレスポンス受信期間（Random Access Response window）にモニタリングする。
【０１５２】
ＭＴＣＵＥ３−１は、物理下りリンク制御チャネルＰＤＣＣＨまたは拡張物理下りリンク制御チャネルＥＰＤＣＣＨでＲＡ−ＲＮＴＩを検出した場合、ランダムアクセスレスポンスメッセージを含んだ物理下りリンク共用チャネルＰＤＳＣＨを受信する。あるいは、ＭＴＣＵＥ３−１は、送信したランダムアクセスプリアンブル、または、物理ランダムアクセスチャネルのリソース（配置情報）に対応した下りリンクリソース領域で送信される物理下りリンク共用チャネルＰＤＳＣＨの受信を試みてもよい。
【０１５３】
ＭＴＣＵＥ３−１は、ランダムアクセスレスポンスメッセージを取得した場合、ランダムアクセスレスポンスメッセージに含まれる送信タイミング情報をセルの上りリンク送信タイミングとして設定し、送信タイミングタイマーをスタートする。ＭＴＣＵＥ３−１は、セルを介してメッセージ３を基地局装置５へ繰り返し送信する。尚、ＭＴＣＵＥ３−１は、メッセージ３に初期アクセスを示した内容を含める。ランダムアクセスレスポンスメッセージにＭＴＣＵＥ３−１に対する繰り返し送信回数に関する情報が設定されていた場合、ＭＴＣＵＥ３−１は、ランダムアクセスレスポンスメッセージで設定された繰り返し送信回数に達するまで、メッセージ３を繰り返し送信する。
【０１５４】
ＭＴＣＵＥ３−１は、メッセージ３を送信するとコンテンションレゾリューションタイマーをスタートする。ＭＴＣＵＥ３−１は、コンテンションレゾリューションタイマーの満了値（設定値）をランダムアクセスプリアンブルの送信繰り返し回数に応じて設定する。尚、コンテンションレゾリューションタイマーは、メッセージ３の繰り返し送信の１回目の送信でスタートされる。または、コンテンションレゾリューションタイマーは、メッセージ３の繰り返し送信の最後の送信でスタートされるようにしてもよい。
【０１５５】
基地局装置５は、メッセージ３を受信すると、ＭＴＣＵＥ３−１にコンテンションレゾリューションメッセージを繰り返し送信する。そして、ＭＴＣＵＥ３−１は、コンテンションレゾリューションメッセージを基地局装置５から受信するとランダムアクセス手順を終了する。
【０１５６】
尚、ＭＴＣＵＥ３−１は、ランダムアクセスレスポンスメッセージおよびコンテンションレゾリューションメッセージを繰り返し受信する。ＭＴＣＵＥ３−１は、メッセージ３を繰り返し送信する。また、基地局装置５は、ランダムアクセスレスポンスメッセージおよびコンテンションレゾリューションメッセージを繰り返し送信する。基地局装置５は、メッセージ３を繰り返し受信する。
【０１５７】
ランダムアクセス手順に関連する繰り返し送信回数または繰り返し受信回数は、ＭＴＣＵＥ３−１が送信したランダムアクセスプリアンブルと対応して設定されるようにしてもよい。また、ランダムアクセス手順に関連する繰り返し送信回数または繰り返し受信回数は、システム情報のランダムアクセス共通情報によってそれぞれ通知されるようにしてもよい。
【０１５８】
例えば、ランダムアクセスレスポンスメッセージの繰り返し受信回数は、ランダムアクセスレスポンスメッセージ受信に関する情報に含まれてもよい。また、コンテンションレゾリューションの繰り返し受信回数はコンテンションレゾリューションメッセージ受信に関する情報に含まれてもよい。
【０１５９】
また、ランダムアクセスプリアンブルの繰り返し送信回数またはランダムアクセスレスポンスメッセージの繰り返し受信回数に対応して、コンテンションレゾリューションタイマーの満了値が設定されるようにしてもよい。つまり、ＭＴＣＵＥ３−１は、ランダムアクセスプリアンブルの繰り返し送信回数またはランダムアクセスレスポンスメッセージの繰り返し受信回数に対応してコンテンションレゾリューションタイマーの満了値を複数持つようにしてもよい。
【０１６０】
また、コンテンションレゾリューションタイマーの満了値もシステム情報によってそれぞれ通知されるようにしてもよい。例えば、ランダムアクセスプリアンブルの送信繰り返し回数が５回、１０回、２０回の３種類から選択可能な場合、コンテンションレゾリューションタイマーの満了値は送信繰り返し回数に対応する値、例えば、それぞれ１００ｍｓ、２００ｍｓ、４００ｍｓの３種類から一意に、あるいは任意に選択可能な設定がされるようにしてもよい。また、例えば、選択したランダムアクセスプリアンブルの送信繰り返し回数に対応した計算式、あるいはレピティションのレベルに基づいてコンテンションレゾリューションタイマーの値が一意に設定されるようにしてもよい。
【０１６１】
基地局装置５は、上記例のようなランダムアクセスプリアンブルの繰り返し送信回数に応じた複数種類のコンテンションレゾリューションタイマーの満了値をＭＴＣＵＥ３−１に通知してもよい。また、基地局装置５は、基本となるコンテンションレゾリューションタイマーの満了値をＭＴＣＵＥ３−１に通知する。ＭＴＣＵＥ３−１は、基本となるコンテンションレゾリューションタイマーの満了値とランダムアクセスプリアンブルの送信繰り返し回数からコンテンションレゾリューションタイマーの満了値を算出するようにしてもよい。
【０１６２】
また、ＭＴＣＵＥ３−１は、基本となるコンテンションレゾリューションタイマーの満了値とコンテンションレゾリューションの受信繰り返し回数からコンテンションレゾリューションタイマーの満了値を算出するようにしてもよい。尚、コンテンションレゾリューションタイマーの満了値はコンテンションレゾリューションメッセージ受信に関する情報に含まれるようにしてもよい。
【０１６３】
また、ＭＴＣＵＥ３−１は、ランダムアクセスレスポンス受信期間もコンテンションレゾリューションタイマーの満了値と同様にランダムアクセスプリアンブルの送信繰り返し回数に応じて受信期間を算出するようにしてもよい。また、ランダムアクセスレスポンス受信期間は、コンテンションレゾリューションタイマーの満了値と同様にアクセスプリアンブルの送信繰り返し回数に応じて複数種類選択可能な設定がされるようにしてもよい。尚、ランダムアクセスレスポンス受信期間は、ランダムアクセスレスポンスメッセージ受信に関する情報に含まれるにしてもよい。
【０１６４】
尚、ランダムアクセスレスポンスメッセージを受信できなかった場合、または、コンテンションレゾリューションタイマーが満了するまでにコンテンションレゾリューションメッセージを受信できなかった場合、ＭＴＣＵＥ３−１は、ランダムアクセス手順をランダムアクセスプリアンブルの選択からやり直す。
【０１６５】
ランダムアクセス手順を終了後、基地局装置５とＭＴＣＵＥ３−１間で、物理下りリンク共用チャネルＰＤＳＣＨおよび物理上りリンク共用チャネルＰＵＳＣＨを用いてデータの送受信を行う。基地局装置５とＭＴＣＵＥ３−１間は、物理下りリンク共用チャネルＰＤＳＣＨおよび物理上りリンク共用チャネルＰＵＳＣＨの繰り返しによる送受信を行う。
【０１６６】
ランダムアクセス手順を終了後の物理上りリンク共用チャネルＰＵＳＣＨの繰り返し送信回数または物理下りリンク共用チャネルＰＤＳＣＨの繰り返し受信回数は、ランダムアクセスプリアンブルと対応して設定されるようにしてもよい。また、ランダムアクセス手順を終了後の繰り返し送信回数または繰り返し受信回数は、ＭＴＣＵＥ３−１にシステム情報の中でそれぞれ通知されるようにしてもよい。
【０１６７】
基地局装置５は、繰り返し送信回数または繰り返し受信回数をＭＴＣＵＥ３−１個別に設定してもよい。繰り返し送信回数または繰り返し受信回数は、別々に設定されてもよいし、同時に設定されてもよい。基地局装置５は、物理下りリンク制御チャネルＰＤＣＣＨ、拡張物理下りリンク制御チャネルＥＰＤＣＣＨおよび物理上りリンク制御チャネルＰＵＣＣＨの繰り返し回数をそれぞれ設定するようにしてもよい。
【０１６８】
尚、基地局装置５は、通知されたＭＴＣＵＥ３−１の自セルおよび周辺セルの無線品質測定報告（measurement report）、ＭＴＣＵＥ３−１から通知されたＣＱＩまたはＭＴＣＵＥ３−１から送信された上りリンク参照信号（ＳＲＳ）の無線品質にもとづいて、物理下りリンク共用チャネルＰＤＳＣＨおよび／または物理上りリンク共用チャネルＰＵＳＣＨの繰り返し送信回数または繰り返し受信回数を決定／変更するようにしてもよい。例えば、基地局装置５は、無線品質が悪化した場合、繰り返し回数を増やし、無線品質が良化した場合、繰り返し回数を減らすように設定してもよい。
【０１６９】
また、基地局装置５は、物理上りリンク共用チャネルＰＵＳＣＨの繰り返し送信回数または物理下りリンク共用チャネルＰＤＳＣＨの繰り返し受信回数の有効期間を設定するようにしてもよい。繰り返し送信回数または繰り返し受信回数の有効期間は、タイマーを用いて基地局装置５およびＭＴＣＵＥ３−１の間で制御するようにしてもよい。また、ＭＴＣＵＥ３−１および基地局装置５は、繰り返し送信回数の有効期間を示すタイマーと繰り返し受信回数の有効期間を示すタイマーをそれぞれ持つようにしてもよい。尚、このタイマーを繰り返し制御タイマーと称して以下に示す。
【０１７０】
例えば、基地局装置５は、物理上りリンク共用チャネルＰＵＳＣＨの繰り返し送信回数または物理下りリンク共用チャネルＰＤＳＣＨの繰り返し受信回数のそれぞれをＭＴＣＵＥ３−１に通知し、繰り返し制御タイマーに関する情報（例えば、繰り返し制御タイマーの満了値）を通知する。ＭＴＣＵＥ３−１は、物理上りリンク共用チャネルＰＵＳＣＨの繰り返し送信回数および物理下りリンク共用チャネルＰＤＳＣＨの繰り返し受信回数を設定し、繰り返し制御タイマーをスタートさせる。
【０１７１】
繰り返し制御タイマーが動作している（running）間、ＭＴＣＵＥ３−１は、基地局装置５から設定された繰り返し回数で、物理上りリンク共用チャネルＰＵＳＣＨの送信または物理下りリンク共用チャネルＰＤＳＣＨの受信を行う。繰り返し制御タイマーが満了した（または、停止している）場合、ＭＴＣＵＥ３−１は、基地局装置５から個別に設定された繰り返し回数を破棄（または、削除、リリース、無効化）し、物理上りリンク制御チャネルＰＵＣＣＨと、物理上りリンク共用チャネルＰＵＳＣＨの繰り返し送信回数を所定の回数のレベルに設定し、物理下りリンク制御チャネルＰＤＣＣＨ、拡張物理制御チャネルＥＰＤＣＣＨ、物理下りリンク共用チャネルＰＤＳＣＨの繰り返し受信回数を所定の回数のサイズに設定する。
【０１７２】
所定の回数とは、例えば１回、デフォルト値、基地局装置５からシステム情報またはＲＲＣメッセージによって設定された値、そのセルがサポートする最大繰り返し回数、または初期値である。尚、初期値は、システム情報で通知されるようにしてもよいし、あらかじめ決められていてもよい。
【０１７３】
繰り返し制御タイマーが動作している間に基地局装置５から新たな繰り返し回数の設定があった場合、ＭＴＣＵＥ３−１は、物理上りリンク共用チャネルＰＵＳＣＨの繰り返し送信回数または物理下りリンク共用チャネルＰＤＳＣＨの繰り返し受信回数を再設定し、繰り返し制御タイマーを再スタートさせる。
【０１７４】
尚、基地局装置５は、繰り返し制御タイマーのスタートまたは再スタートを示す情報を、別途、ＭＴＣＵＥ３−１に通知するようにしてもよい。ＭＴＣＵＥ３−１は、繰り返し制御タイマーのスタートを示す情報を受信した場合、繰り返し制御タイマーをスタートまたは再スタートし、設定された繰り返し回数を適用にする。また、基地局装置５は、繰り返し制御タイマーの停止を示す情報を、別途、ＭＴＣＵＥ３−１に通知するようにしてもよい。
【０１７５】
例えば、基地局装置５は、物理上りリンク共用チャネルＰＵＳＣＨの繰り返し送信回数、物理下りリンク共用チャネルＰＤＳＣＨの繰り返し受信回数または繰り返し制御タイマーの設定情報をＲＲＣ層のメッセージまたはＭＡＣ層のメッセージでＭＴＣＵＥ３−１に通知し、基地局装置５は、繰り返し制御タイマーのスタートまたは再スタートを示す情報をＭＡＣ層の制御メッセージで通知する。
【０１７６】
また、繰り返し制御タイマーは、ランダムアクセスレスポンスメッセージの受信または、コンテンションレゾリューションメッセージの受信でスタートされるようにしてもよい。また、繰り返し制御タイマーは、メッセージ３の送信でスタートされるようにしてもよい。このようなランダムアクセス手順のメッセージによる繰り返し制御タイマーの起動の場合、繰り返し制御タイマーは、システム情報でＭＴＣＵＥ３−１に通知されことが望ましい。
【０１７７】
また、繰り返し制御タイマーが満了した場合、ＭＴＣＵＥ３−１は、基地局装置５に繰り返し制御タイマーが満了したことを通知するようにしてもよい。例えば、繰り返し制御タイマーが満了した場合、ＭＴＣＵＥ３−１は、ランダムアクセス手順を実行する。ＭＴＣＵＥ３−１は、メッセージ３に繰り返し制御タイマーの満了を示す情報を含めて基地局装置５に送信する。基地局装置５は、繰り返し制御タイマーの満了を示す情報を受信した場合、ＭＴＣＵＥ３−１に繰り返し送受信回数を再設定する。
【０１７８】
また、繰り返し制御タイマーのタイマー値（または満了値）は、繰り返し回数にもとづいて決定するようにしてもよい。また、繰り返し制御タイマーの値は、繰り返し回数から計算で算出するようにしてもよい。例えば、繰り返し回数がＡ（Ａは自然数）の場合、繰り返し制御タイマーの値はＡ×ｎで決定されるようしてもよい。ｎはシステムで固定値（例えばｎ＝１０）でもよいし、ＲＲＣメッセージまたはシステム情報によって個別に設定されてもよい。
【０１７９】
また、繰り返し制御タイマーは、送信タイミングタイマーを再利用するようにしてもよい。例えば、ＭＴＣＵＥ３−１が送信タイミング情報を受信し、送信タイミングタイマーを再スタートする時、繰り返し送受信回数が通知されている場合、通知された繰り返し送受信回数の適用を開始する。繰り返し回数が通知されていない場合、ＭＴＣＵＥ３−１は、設定されている繰り返し回数を継続する。送信タイミングタイマーが満了した場合、ＭＴＣＵＥ３−１は上りリンク送信を停止し、適用している繰り返し送受信回数を破棄する。
【０１８０】
尚、上記で示した物理上りリンク共用チャネルＰＵＳＣＨ、物理下りリンク共用チャネルＰＤＳＣＨ、物理上りリンク制御チャネルＰＵＣＣＨ、物理下りリンク制御チャネルＰＤＣＣＨ、拡張物理下りリンク制御チャネルＥＰＤＣＣＨおよび物理ランダムアクセスチャネルＰＲＡＣＨは、ＭＴＣＵＥ専用の物理上りリンク共用チャネルＰＵＳＣＨ、物理下りリンク共用チャネルＰＤＳＣＨ、物理上りリンク制御チャネルＰＵＣＣＨ、物理下りリンク制御チャネルＰＤＣＣＨ、拡張物理下りリンク制御チャネルＥＰＤＣＣＨおよび物理ランダムアクセスチャネルＰＲＡＣＨでもよい。
【０１８１】
尚、基地局装置５は、繰り返し回数を複数種類設定して、それぞれに対応したレピティションのレベル（Repetition Level）またはバンドリングのサイズ（Bundling Size）を設定するようにしてもよい。例えば、レピティションレベルが１の場合、繰り返し回数は１０回に設定され、レピティションレベル２の場合、繰り返し回数は２０回設定され、レピティションレベル３の場合、繰り返し回数は３０回に設定される。基地局装置５はＭＴＣＵＥ３−１にレピティションレベルまたはバンドリングサイズを通知するようにしてもよい。また、ＭＴＣＵＥ３−１は、レピティションレベルまたはバンドリングサイズにもとづいて、繰り返し制御タイマーの満了値、コンテンションレゾリューションタイマーの満了値またはランダムアクセスレスポンス受信期間を算出するようにしてもよい。
【０１８２】
繰り返し送受信制御に関連する情報は、ＭＴＣＵＥ３−１のみが受信し、移動局装置１−１が受信するシステム情報ブロック（例えば、system information block type2）とは異なるシステム情報ブロック（system information block type1A）を使って報知されるシステム情報にのみ含まれるようにしてもよい。基地局装置５は、レピティションレベル、バンドリングサイズ、繰り返し制御タイマーの満了値、レピティションレベルに対応したコンテンションレゾリューションタイマーの満了値など上記で説明したパラメータはＭＴＣＵＥ３−１が受信するシステム情報ブロック（system information block type1A）を使って報知されるシステム情報に含めるようにしてもよい。すなわち、移動局装置１−１が受信するシステム情報ブロック（system information block type2）を使って報知されるシステム情報のランダムアクセス共通設定情報とＭＴＣＵＥ３−１に報知されるシステム情報のランダムアクセス共通設定情報は、独立であり、異なってもよい。
【０１８３】
尚、基地局装置５は、システム情報をＲＲＣレベルで周期的に送信する。それぞれのシステム情報のＭＴＣＵＥ３−１の受信処理において、ＭＴＣＵＥ３−１のＭＡＣ層ではＨＡＲＱ処理が行われる。また、物理下りリンク制御チャネルＰＤＣＣＨの受信、拡張物理制御チャネルＥＰＤＣＣＨの受信、物理上りリンク制御チャネルＰＵＣＣＨの送信および物理ランダムアクセスチャネルＰＲＡＣＨ（またはランダムアクセスプリアンブル）の送信に対する繰り返し制御は、ＭＴＣＵＥ３−１のＰＨＹ層で行われる。
【０１８４】
上記では、ＭＴＣＵＥは、移動局装置のタイプによって分類されてもよい。移動局装置を２つのタイプに分け、上記の移動局装置１−１の動作を行う移動局装置が第一のタイプの移動局装置に分類され、上記のＭＴＣＵＥ３−１の動作を行う移動局装置が第二のタイプに分類されようにしてもよい。また、移動局装置を２つのタイプに分け、移動局装置１−１の動作を行う移動局装置が第一のタイプの移動局装置に分類され、上記のＭＴＣＵＥ３−１の動作を行う移動局装置の中で異なる繰り返し回数が設定される移動局装置をそれぞれ第二のタイプと第三のタイプに分類されようにしてもよい。また、第一のタイプの移動局装置は、カテゴリー０からカテゴリー１３のカテゴリーに分類され、第二のタイプの移動局装置は、第一のタイプの移動局装置で示されたカテゴリー以外のカテゴリーＸに分類され、第三のタイプの移動局装置は、第一のタイプおよび第二のタイプの移動局装置で示されたカテゴリー以外のカテゴリーＹに分類されるようにしてもよい。
【０１８５】
また、具体的な数値を用いて説明された内容は、説明の便宜上用いた単なる数値の一例に過ぎず、適切な如何なる値が使用されてよい。
【０１８６】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１８７】
実施形態では、端末装置もしくは通信装置の一例としてマシンタイプコミュニケーションに対応する移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来ることは言うまでもない。
【０１８８】
また、説明の便宜上、実施形態のＭＴＣＵＥ３−１、基地局装置５を機能的なブロック図を用いて説明したが、ＭＴＣＵＥ３−１、基地局装置５の各部の機能またはこれらの機能の一部を実現するためのプログラムをコンピュータ読み取り可能な記録媒体に記録して、この記録媒体に記録されたプログラムをコンピュータシステムに読み込ませ、実行することにより移動局装置や基地局装置の制御を行なっても良い。尚、ここでいう「コンピュータシステム」とは、ＯＳや周辺機器等のハードウェアを含むものとする。
【０１８９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０１９０】
また、上記各実施形態に用いた各機能ブロックは、典型的には集積回路であるＬＳＩとして実現してもよい。各機能ブロックは個別にチップ化してもよいし、一部または全部を集積してチップ化してもよい。また、集積回路化の手法はＬＳＩに限らず専用回路または汎用プロセッサで実現しても良い。また、半導体技術の進歩によりＬＳＩに代替する集積回路化の技術が出現した場合、当該技術による集積回路を用いることも可能である。
【０１９１】
以上、この発明の実施形態について図面を参照して詳述してきたが、具体的な構成はこの実施形態に限られるものではなく、この発明の要旨を逸脱しない範囲の設計等も特許請求の範囲に含まれる。すなわち、本明細書の記載は例示説明を目的としたものであり、本発明の実施形態に対して何ら制限を加えるものではない。
【符号の説明】
【０１９２】
１−１〜１−３  移動局装置
３−１〜３−３  ＭＴＣＵＥ
５              基地局装置
１０１、２０１  データ生成部
１０３、２０３  送信データ記憶部
１０５、２０５  送信ＨＡＲＱ処理部
１０７、２０７  送信処理部
１０９、２０９  無線部
１１１、２１１  受信処理部
１１３、２１３  受信ＨＡＲＱ処理部
１１５、２１５  ＭＡＣ情報抽出部
１１７、２１７  ＰＨＹ制御部
１１９、２１９  ＭＡＣ制御部
１２１、２２１  データ処理部
１２３、２２３  ＲＲＣ制御部
【図１】
2018032888.tif 000003
【図２】
2018032888.tif 000004
【図３】
2018032888.tif 000005
【図４】
2018032888.tif 000006
【図５】
2018032888.tif 000007
【図６】
2018032888.tif 000008
【図７】
2018032888.tif 000009
【図８】
2018032888.tif 000010
【図９】
2018032888.tif 000011
【図１０】
2018032888.tif 000012